(57)【要約】  実施形態において、ボイスオーバーインターネットプロトコル（ＶｏＩＰ）入札者は、ＶｏＩＰプロバイダおよび／またはＶｏＩＰアクセスネットワークと交渉して、ＶｏＩＰプロバイダをＶｏＩＰアクセスネットワーク（例えば、１組の特定のＷｉＦｉ  ＡＰ、非ローミングセルラアクセスネットワーク、等）に対する優先またはデフォルトＶｏＩＰプロバイダとして確立する。優先またはデフォルトＶｏＩＰプロバイダとして、ＶｏＩＰアクセスネットワークは、ＶｏＩＰアクセスネットワークを通してユーザ機器（ＵＥ）にＶｏＩＰサービスを提供するようにも構成されている１つ以上の他のＶｏＩＰプロバイダと比較して、ＶｏＩＰプロバイダを介してＵＥにＶｏＩＰサービスを提供するための優先の性能および／または契約条件（またはＶｏＩＰ機会）を与える。さらなる実施形態において、ＵＥのうちの１つは、ＶｏＩＰアクセスネットワークに接続して、ＶｏＩＰアクセスネットワークを通してＶｏＩＰプロバイダを介してＵＥに利用可能である、優先の性能および／または契約条件を、ＵＥのユーザにアドバタイズする。【選択図】図６
2016517208.tif 000002
【特許請求の範囲】
【請求項１】
複数のボイスオーバーインターネットプロトコル（ＶｏＩＰ）プロバイダによって提供される複数ＶｏＩＰサービスに加入するユーザ機器（ＵＥ）を動作させる方法において、
前記ＵＥが第１の組のＶｏＩＰアクセスネットワークを通して動作している間、前記複数のＶｏＩＰプロバイダのうちの第１のＶｏＩＰプロバイダを、前記ＵＥに対する優先またはデフォルトＶｏＩＰプロバイダとして関係付けることを含み、
前記第１のＶｏＩＰプロバイダは、ＶｏＩＰ入札エンティティ、前記第１のＶｏＩＰプロバイダおよび／または前記第１の組のＶｏＩＰアクセスネットワーク間の交渉を介して、前記ＶｏＩＰ入札エンティティによって、前記優先またはデフォルトＶｏＩＰプロバイダとして確立され、
前記第１の組のＶｏＩＰアクセスネットワークは、前記第１の組のＶｏＩＰアクセスネットワークを通して前記ＵＥにＶｏＩＰサービスを提供するように構成されている１つ以上の他のＶｏＩＰプロバイダと比較して、前記第１のＶｏＩＰプロバイダを介して前記ＵＥにＶｏＩＰサービスを提供するための第１の組の優先の性能および／または契約条件に関係付けられている方法。
【請求項２】
前記ＵＥが、前記第１の組のＶｏＩＰアクセスネットワークに属する第１のＶｏＩＰアクセスネットワークに接続されていると決定することと、
前記ＵＥが前記第１のＶｏＩＰアクセスネットワークに接続されていると決定することに応答して、前記第１のＶｏＩＰアクセスネットワークを通して前記第１のＶｏＩＰプロバイダを介して前記ＵＥに利用可能である、前記第１の組の優先の性能および／または契約条件を、前記ＵＥのユーザに対してアドバタイズすることとをさらに含む請求項１記載の方法。
【請求項３】
前記ＶｏＩＰ入札エンティティは、前記第１のＶｏＩＰプロバイダ、前記ＵＥが加入するセルラキャリア、前記ＵＥが加入する所定のＶｏＩＰアクセスネットワークおよび／または前記ＵＥのオリジナル機器製造者（ＯＥＭ）に対応する請求項２記載の方法。
【請求項４】
前記アドバタイズすることは、前記１つ以上の他のＶｏＩＰプロバイダに関係付けられた１つ以上の他の組の性能および／または契約条件と関係付けて、前記第１の組の優先の性能および／または契約条件をアドバタイズする請求項２記載の方法。
【請求項５】
前記ＵＥが第２の組のＶｏＩＰアクセスネットワークを通して動作している間、前記複数のＶｏＩＰプロバイダのうちの第２のＶｏＩＰプロバイダを、前記ＵＥに対する前記優先またはデフォルトＶｏＩＰプロバイダとして関係付けることと、
前記ＵＥが、前記第２の組のＶｏＩＰアクセスネットワークに属する第２のＶｏＩＰアクセスネットワークに接続されていると決定することと、
前記ＵＥが前記第２のＶｏＩＰアクセスネットワークに接続されていると決定することに応答して、前記第２のＶｏＩＰアクセスネットワークを通して前記第２のＶｏＩＰプロバイダを介して前記ＵＥに利用可能である、第２の組の優先の性能および／または契約条件を、前記ＵＥのユーザに対してアドバタイズすることとをさらに含み、
前記第２のＶｏＩＰプロバイダは、別のＶｏＩＰ入札エンティティ、前記第２のＶｏＩＰプロバイダおよび／または前記第２の組のＶｏＩＰアクセスネットワーク間の交渉を介して、前記別のＶｏＩＰ入札エンティティによって、前記優先またはデフォルトＶｏＩＰプロバイダとして確立され、
前記第２の組のＶｏＩＰアクセスネットワークは、前記第２の組のＶｏＩＰアクセスネットワークを通して前記ＵＥにＶｏＩＰサービスを提供するように構成されている少なくとも１つの他のＶｏＩＰプロバイダと比較して、前記第２のＶｏＩＰプロバイダを介して前記ＵＥにＶｏＩＰサービスを提供するための前記第２の組の優先の性能および／または契約条件に関係付けられている請求項２記載の方法。
【請求項６】
前記第１の組の優先の性能および／または契約条件は、第１のレベルのサービス品質（ＱｏＳ）を含み、
前記第２の組の優先の性能および／または契約条件は、前記第１のレベルのＱｏＳとは異なる第２のレベルのＱｏＳを含む請求項５記載の方法。
【請求項７】
前記第１のレベルのＱｏＳは前記第２のレベルのＱｏＳよりも高く、
前記第１の組のＶｏＩＰアクセスネットワークは、ＷｉＦｉベースのＶｏＩＰアクセスネットワークに関係付けられており、
前記第２の組のＶｏＩＰアクセスネットワークは、セルラベースのＶｏＩＰアクセスネットワークに関係付けられている請求項６記載の方法。
【請求項８】
前記ＵＥが前記第１のＶｏＩＰアクセスネットワークに接続されている間、ＶｏＩＰ通話を開始する、前記ＵＥのユーザによる試行を検出することをさらに含む請求項２記載の方法。
【請求項９】
前記アドバタイズすることは、前記検出に応答して実行される請求項８記載の方法。
【請求項１０】
前記ＵＥが前記第１のＶｏＩＰアクセスネットワークを通して動作している間、前記第１のＶｏＩＰプロバイダが前記ＵＥに対する前記優先またはデフォルトＶｏＩＰプロバイダであることに基づいて、前記検出に応答して、前記第１のＶｏＩＰプロバイダを通して取り次がれるＶｏＩＰ通話を管理するように構成されているＶｏＩＰクライアントアプリケーションが自動的に起動される請求項８記載の方法。
【請求項１１】
前記アドバタイズすることは、ユーザ選択可能なアイコンとともに、前記第１の組の優先の性能および／または契約条件を提示し、前記ユーザ選択可能なアイコンは、前記ユーザによって選択される場合、前記第１のＶｏＩＰプロバイダを通して取り次がれるＶｏＩＰ通話を管理するように構成されているＶｏＩＰクライアントアプリケーションを起動する請求項２記載の方法。
【請求項１２】
前記第１の組の優先の性能および／または契約条件は、前記第１のＶｏＩＰプロバイダによる減少されたＶｏＩＰ請求レート、セルラキャリアネットワークによる減少されたデータレート課金および／またはサービス品質（ＱｏＳ）を含む請求項１記載の方法。
【請求項１３】
前記第１の組のＶｏＩＰアクセスネットワークは、（ｉ）前記ＵＥが加入するセルラキャリアネットワーク、（ｉｉ）前記ＵＥのＯＥＭ、または、（ｉｉｉ）前記第１のＶｏＩＰプロバイダ、により制御される、および／または、との契約上の合意のもとで制御される、ＶｏＩＰアクセスネットワークに対応する請求項１記載の方法。
【請求項１４】
前記第１の組のＶｏＩＰアクセスネットワークは、ＷｉＦｉネットワークおよび／または広域ネットワーク（ＷＡＮ）ネットワークを含む請求項１記載の方法。
【請求項１５】
前記第１の組のＶｏＩＰアクセスネットワークは、セルラキャリアの無線アクセスネットワークの非ローミング部分に対応し、
前記セルラキャリアの無線アクセスネットワークのローミング部分に対応する第２の組のＶｏＩＰアクセスネットワークは、前記第１の組の優先の性能および／または契約条件に関係付けられていない請求項１記載の方法。
【請求項１６】
ボイスオーバーインターネットプロトコル（ＶｏＩＰ）入札エンティティを動作させる方法において、
所定のＶｏＩＰプロバイダおよび／または１組のＶｏＩＰアクセスネットワークと交渉して、前記所定のＶｏＩＰプロバイダを前記１組のＶｏＩＰアクセスネットワークに対する優先またはデフォルトＶｏＩＰプロバイダとして確立することを含み、
前記１組のＶｏＩＰアクセスネットワークは、前記１組のＶｏＩＰアクセスネットワークを通して１組のユーザ機器（ＵＥ）にＶｏＩＰサービスを提供するように構成されている１つ以上の他のＶｏＩＰプロバイダと比較して、前記所定のＶｏＩＰプロバイダを介して前記１組のＵＥにＶｏＩＰサービスを提供するための１組の優先の性能および／または契約条件に関係付けられている方法。
【請求項１７】
前記１組のＵＥに対して、前記１組の優先の性能および／または契約条件を配信することをさらに含む請求項１６記載の方法。
【請求項１８】
前記配信することは、前記１組のＵＥの製造中に生じる請求項１７記載の方法。
【請求項１９】
前記配信することは、前記１組のＵＥが配備された後に生じる請求項１７記載の方法。
【請求項２０】
前記ＶｏＩＰ入札エンティティは、前記所定のＶｏＩＰプロバイダ、前記１組のＵＥが加入するセルラキャリアネットワーク、前記１組のＵＥが加入する所定のＶｏＩＰアクセスネットワークおよび／または前記１組のＵＥのオリジナル機器製造者（ＯＥＭ）に対応する請求項１６記載の方法。
【請求項２１】
前記１組の優先の性能および／または契約条件は、前記所定のＶｏＩＰプロバイダによる減少されたＶｏＩＰ請求レート、セルラキャリアネットワークによる減少されたデータレート課金および／またはサービス品質（ＱｏＳ）を含む請求項１６記載の方法。
【請求項２２】
前記１組のＶｏＩＰアクセスネットワークは、ＷｉＦｉネットワークおよび／または広域ネットワーク（ＷＡＮ）ネットワークを含む請求項１６記載の方法。
【請求項２３】
前記１組のＶｏＩＰアクセスネットワークは、（ｉ）前記１組のＵＥによって加入されるセルラキャリアネットワーク、（ｉｉ）前記１組のＵＥのＯＥＭ、または、（ｉｉｉ）前記所定のＶｏＩＰプロバイダ、により制御される、および／または、との契約上の合意のもとで制御される、ＶｏＩＰアクセスネットワークに対応する請求項１６記載の方法。
【請求項２４】
前記１組のＶｏＩＰアクセスネットワークは、セルラキャリアの無線アクセスネットワークの非ローミング部分に対応し、
前記セルラキャリアの無線アクセスネットワークのローミング部分に対応する異なる組のＶｏＩＰアクセスネットワークは、前記１組の優先の性能および／または契約条件に関係付けられていない請求項１６記載の方法。
【請求項２５】
複数のボイスオーバーインターネットプロトコル（ＶｏＩＰ）サービスにアクセスするように構成されているユーザ機器（ＵＥ）を動作させる方法において、
複数の優先ＶｏＩＰ機会を記憶させ、前記複数の優先ＶｏＩＰ機会のそれぞれは、所定のデータアクセスプロバイダと、関係付けられたＶｏＩＰサービスと、前記所定のデータアクセスプロバイダを介して前記関係付けられたＶｏＩＰサービスを利用するために利用可能な条件とを示すことと、
前記ＵＥが第１のデータアクセスプロバイダに接続されていると決定することと、
前記決定に応答して、前記第１のデータアクセスプロバイダを示す少なくとも１つの優先ＶｏＩＰ機会を識別することと、
前記第１のデータアクセスプロバイダに接続されている間に、前記識別された少なくとも１つの優先ＶｏＩＰ機会に関係付けられたＶｏＩＰサービスを利用することをユーザが選択する場合、少なくとも、利用可能な前記識別された少なくとも１つの優先ＶｏＩＰ機会によって示される前記条件を、前記ＵＥのユーザに対して提示することとを含む方法。
【請求項２６】
前記提示することは、前記第１のデータアクセスプロバイダを介して前記ＵＥに利用可能である少なくとも１つの他のＶｏＩＰサービスに関係付けられた少なくとも１つの追加の１組の条件を、前記ＵＥのユーザに対して提示することさらに含む請求項２５記載の方法。
【請求項２７】
前記少なくとも１つの他のＶｏＩＰサービスは、前記複数のＶｏＩＰ機会のうちの少なくとも１つの中の前記第１のデータアクセスプロバイダに関係付けられている請求項２６記載の方法。
【請求項２８】
前記少なくとも１つの他のＶｏＩＰサービスは、前記複数のＶｏＩＰ機会のうちの少なくとも１つの中の前記第１のデータアクセスプロバイダに関係付けられていない請求項２６記載の方法。
【請求項２９】
前記ＵＥが第２のデータアクセスプロバイダに接続されていると決定することと、
前記ＵＥが第２のデータアクセスプロバイダに接続されているとの決定に応答して、前記第２のデータアクセスプロバイダを示す１つ以上の優先ＶｏＩＰ機会を識別することと、
前記第２のデータアクセスプロバイダに接続されている間に、前記識別された１つ以上の優先ＶｏＩＰ機会に関係付けられたＶｏＩＰサービスを利用することを前記ユーザが選択する場合、少なくとも、利用可能な前記識別された少なくとも１つの優先ＶｏＩＰ機会によって示される前記条件を、前記ＵＥのユーザに対して提示することとをさらに含む請求項２５記載の方法。
【請求項３０】
複数のボイスオーバーインターネットプロトコル（ＶｏＩＰ）プロバイダによって提供される複数ＶｏＩＰサービスに加入するユーザ機器（ＵＥ）において、
前記ＵＥが第１の組のＶｏＩＰアクセスネットワークを通して動作している間、前記複数のＶｏＩＰプロバイダのうちの第１のＶｏＩＰプロバイダを、前記ＵＥに対する優先またはデフォルトＶｏＩＰプロバイダとして関係付ける手段と、
前記第１の組のＶｏＩＰアクセスネットワークに接続する手段とを具備し、
前記第１のＶｏＩＰプロバイダは、ＶｏＩＰ入札エンティティ、前記第１のＶｏＩＰプロバイダおよび／または前記第１の組のＶｏＩＰアクセスネットワーク間の交渉を介して、前記ＶｏＩＰ入札エンティティによって、前記優先またはデフォルトＶｏＩＰプロバイダとして確立され、
前記第１の組のＶｏＩＰアクセスネットワークは、前記第１の組のＶｏＩＰアクセスネットワークを通して前記ＵＥにＶｏＩＰサービスを提供するように構成されている１つ以上の他のＶｏＩＰプロバイダと比較して、前記第１のＶｏＩＰプロバイダを介して前記ＵＥにＶｏＩＰサービスを提供するための第１の組の優先の性能および／または契約条件に関係付けられているＵＥ。
【請求項３１】
ボイスオーバーインターネットプロトコル（ＶｏＩＰ）入札エンティティにおいて、
前記ＶｏＩＰ入札エンティティ、所定のＶｏＩＰプロバイダおよび／または１組のＶｏＩＰアクセスネットワーク間の通信を確立する手段と、
前記所定のＶｏＩＰプロバイダおよび／または前記１組のＶｏＩＰアクセスネットワークと交渉して、前記所定のＶｏＩＰプロバイダを前記１組のＶｏＩＰアクセスネットワークに対する優先またはデフォルトＶｏＩＰプロバイダとして確立する手段とを具備し、
前記１組のＶｏＩＰアクセスネットワークは、前記１組のＶｏＩＰアクセスネットワークを通して１組のユーザ機器（ＵＥ）にＶｏＩＰサービスを提供するように構成されている１つ以上の他のＶｏＩＰプロバイダと比較して、前記所定のＶｏＩＰプロバイダを介して前記１組のＵＥにＶｏＩＰサービスを提供するための１組の優先の性能および／または契約条件に関係付けられているＶｏＩＰ入札エンティティ。
【請求項３２】
複数のボイスオーバーインターネットプロトコル（ＶｏＩＰ）サービスにアクセスするように構成されているユーザ機器（ＵＥ）において、
複数の優先ＶｏＩＰ機会を記憶させ、前記複数の優先ＶｏＩＰ機会のそれぞれは、所定のデータアクセスプロバイダと、関係付けられたＶｏＩＰサービスと、前記所定のデータアクセスプロバイダを介して前記関係付けられたＶｏＩＰサービスを利用するために利用可能な条件とを示す手段と、
前記ＵＥが第１のデータアクセスプロバイダに接続されていると決定する手段と、
前記決定に応答して、前記第１のデータアクセスプロバイダを示す少なくとも１つの優先ＶｏＩＰ機会を識別する手段と、
前記第１のデータアクセスプロバイダに接続されている間に、前記識別された少なくとも１つの優先ＶｏＩＰ機会に関係付けられたＶｏＩＰサービスを利用することをユーザが選択する場合、少なくとも、利用可能な前記識別された少なくとも１つの優先ＶｏＩＰ機会によって示される前記条件を、前記ＵＥのユーザに対して提示する手段とを具備するＵＥ。
【請求項３３】
複数のボイスオーバーインターネットプロトコル（ＶｏＩＰ）プロバイダによって提供される複数ＶｏＩＰサービスに加入するユーザ機器（ＵＥ）において、
前記ＵＥが第１の組のＶｏＩＰアクセスネットワークを通して動作している間、前記複数のＶｏＩＰプロバイダのうちの第１のＶｏＩＰプロバイダを、前記ＵＥに対する優先またはデフォルトＶｏＩＰプロバイダとして関係付けるように構成されている論理を具備し、
前記第１のＶｏＩＰプロバイダは、ＶｏＩＰ入札エンティティ、前記第１のＶｏＩＰプロバイダおよび／または前記第１の組のＶｏＩＰアクセスネットワーク間の交渉を介して、前記ＶｏＩＰ入札エンティティによって、前記優先またはデフォルトＶｏＩＰプロバイダとして確立され、
前記第１の組のＶｏＩＰアクセスネットワークは、前記第１の組のＶｏＩＰアクセスネットワークを通して前記ＵＥにＶｏＩＰサービスを提供するように構成されている１つ以上の他のＶｏＩＰプロバイダと比較して、前記第１のＶｏＩＰプロバイダを介して前記ＵＥにＶｏＩＰサービスを提供するための第１の組の優先の性能および／または契約条件に関係付けられているＵＥ。
【請求項３４】
ボイスオーバーインターネットプロトコル（ＶｏＩＰ）入札エンティティにおいて、
所定のＶｏＩＰプロバイダおよび／または１組のＶｏＩＰアクセスネットワークと交渉して、前記所定のＶｏＩＰプロバイダを前記１組のＶｏＩＰアクセスネットワークに対する優先またはデフォルトＶｏＩＰプロバイダとして確立するように構成されている論理を具備し、
前記１組のＶｏＩＰアクセスネットワークは、前記１組のＶｏＩＰアクセスネットワークを通して１組のユーザ機器（ＵＥ）にＶｏＩＰサービスを提供するように構成されている１つ以上の他のＶｏＩＰプロバイダと比較して、前記所定のＶｏＩＰプロバイダを介して前記１組のＵＥにＶｏＩＰサービスを提供するための１組の優先の性能および／または契約条件に関係付けられているＶｏＩＰ入札エンティティ。
【請求項３５】
複数のボイスオーバーインターネットプロトコル（ＶｏＩＰ）サービスにアクセスするように構成されているユーザ機器（ＵＥ）において、
複数の優先ＶｏＩＰ機会を記憶させるように構成され、前記複数の優先ＶｏＩＰ機会のそれぞれは、所定のデータアクセスプロバイダと、関係付けられたＶｏＩＰサービスと、前記所定のデータアクセスプロバイダを介して前記関係付けられたＶｏＩＰサービスを利用するために利用可能な条件とを示す論理と、
前記ＵＥが第１のデータアクセスプロバイダに接続されていると決定するように構成されている論理と、
前記決定に応答して、前記第１のデータアクセスプロバイダを示す少なくとも１つの優先ＶｏＩＰ機会を識別するように構成されている論理と、
前記第１のデータアクセスプロバイダに接続されている間に、前記識別された少なくとも１つの優先ＶｏＩＰ機会に関係付けられたＶｏＩＰサービスを利用することをユーザが選択する場合、少なくとも、利用可能な前記識別された少なくとも１つの優先ＶｏＩＰ機会によって示される前記条件を、前記ＵＥのユーザに対して提示するように構成されている論理とを具備するＵＥ。
【請求項３６】
その上に記憶されている命令を含む非一時的コンピュータ読取可能媒体において、
複数のボイスオーバーインターネットプロトコル（ＶｏＩＰ）プロバイダによって提供される複数ＶｏＩＰサービスに加入するユーザ機器（ＵＥ）によって実行されるとき、命令は前記ＵＥに動作を実行させ、
前記命令は、
前記ＵＥに、前記ＵＥが第１の組のＶｏＩＰアクセスネットワークを通して動作している間、前記複数のＶｏＩＰプロバイダのうちの第１のＶｏＩＰプロバイダを、前記ＵＥに対する優先またはデフォルトＶｏＩＰプロバイダとして関係付けさせる少なくとも１つの命令を含み、
前記第１のＶｏＩＰプロバイダは、ＶｏＩＰ入札エンティティ、前記第１のＶｏＩＰプロバイダおよび／または前記第１の組のＶｏＩＰアクセスネットワーク間の交渉を介して、前記ＶｏＩＰ入札エンティティによって、前記優先またはデフォルトＶｏＩＰプロバイダとして確立され、
前記第１の組のＶｏＩＰアクセスネットワークは、前記第１の組のＶｏＩＰアクセスネットワークを通して前記ＵＥにＶｏＩＰサービスを提供するように構成されている１つ以上の他のＶｏＩＰプロバイダと比較して、前記第１のＶｏＩＰプロバイダを介して前記ＵＥにＶｏＩＰサービスを提供するための第１の組の優先の性能および／または契約条件に関係付けられている非一時的コンピュータ読取可能媒体。
【請求項３７】
その上に記憶されている命令を含む非一時的コンピュータ読取可能媒体において、
ボイスオーバーインターネットプロトコル（ＶｏＩＰ）入札エンティティによって実行されるとき、命令は前記ＶｏＩＰ入札エンティティに動作を実行させ、
前記命令は、
前記ＶｏＩＰ入札エンティティに、所定のＶｏＩＰプロバイダおよび／または１組のＶｏＩＰアクセスネットワークと交渉して、前記所定のＶｏＩＰプロバイダを前記１組のＶｏＩＰアクセスネットワークに対する優先またはデフォルトＶｏＩＰプロバイダとして確立させる少なくとも１つの命令を含み、
前記１組のＶｏＩＰアクセスネットワークは、前記１組のＶｏＩＰアクセスネットワークを通して１組のユーザ機器（ＵＥ）にＶｏＩＰサービスを提供するように構成されている１つ以上の他のＶｏＩＰプロバイダと比較して、前記所定のＶｏＩＰプロバイダを介して前記１組のＵＥにＶｏＩＰサービスを提供するための１組の優先の性能および／または契約条件に関係付けられている非一時的コンピュータ読取可能媒体。
【請求項３８】
その上に記憶されている命令を含む非一時的コンピュータ読取可能媒体において、
複数のボイスオーバーインターネットプロトコル（ＶｏＩＰ）サービスにアクセスするように構成されているユーザ機器（ＵＥ）によって実行されるとき、命令は前記ＵＥに動作を実行させ、
前記命令は、
前記ＵＥに、複数の優先ＶｏＩＰ機会を記憶させるための少なくとも１つの命令、前記複数の優先ＶｏＩＰ機会のそれぞれは、所定のデータアクセスプロバイダと、関係付けられたＶｏＩＰサービスと、前記所定のデータアクセスプロバイダを介して前記関係付けられたＶｏＩＰサービスを利用するために利用可能な条件とを示すと、
前記ＵＥに、前記ＵＥが第１のデータアクセスプロバイダに接続されていると決定させるための少なくとも１つの命令と、
前記決定に応答して、前記ＵＥに、前記第１のデータアクセスプロバイダを示す少なくとも１つの優先ＶｏＩＰ機会を識別させるための少なくとも１つの命令と、
前記第１のデータアクセスプロバイダに接続されている間に、前記識別された少なくとも１つの優先ＶｏＩＰ機会に関係付けられたＶｏＩＰサービスを利用することをユーザが選択する場合、前記ＵＥに、少なくとも、利用可能な前記識別された少なくとも１つの優先ＶｏＩＰ機会によって示される前記条件を、前記ＵＥのユーザに対して提示させるための少なくとも１つの命令とを含む非一時的コンピュータ読取可能媒体。
【発明の詳細な説明】
【発明の背景】
【０００１】
１．発明の分野
［０００１］
本発明の実施形態は、ボイスオーバーインターネットプロトコル（ＶｏＩＰ）プロバイダを、優先またはデフォルトＶｏＩＰプロバイダとして１組のＶｏＩＰネットワークと関係付けることに関連する。
【０００２】
２．関連技術の説明
［０００２］
ワイヤレス通信システムは、さまざまな世代を通して展開されており、さまざまな世代は、第１世代アナログワイヤレス電話サービス（１Ｇ）や、（暫定的２．５Ｇネットワークおよび２．７５ネットワークを含む）第２世代（２Ｇ）デジタルワイヤレス電話サービスや、第３世代（３Ｇ）高速データ、インターネット可能ワイヤレスサービスや、第４世代（４Ｇ）サービス（例えば、ロングタームエボリューション（ＬＴＥ）またはＷｉＭａｘ（登録商標））を含んでいる。現在、セルラおよびパーソナル通信サービス（ＰＣＳ）システムを含む、多くの異なるタイプの使用されているワイヤレス通信システムが存在する。知られているセルラシステムの例は、セルラアナログアドバンスド移動体電話システム（ＡＭＰＳ）と、コード分割多元接続（ＣＤＭＡ）や、周波数分割多元接続（ＦＤＭＡ）や、時間分割多元接続（ＴＤＭＡ）や、ＴＤＭＡのグローバルシステムフォーモバイルアクセス（ＧＳＭ（登録商標））バリエーションに基づいているデジタルセルラシステムとを含んでいる。
【０００３】
［０００３］
現在、セルラプロバイダのデータネットワークを介してＶｏＩＰプロバイダ（例えば、ｉＯＳ上のフェイスタイム、アンドロイド上のグーグルボイス、ウインドウズフォン上のスカイプ、等）を使用することをユーザが選ぶとき、または、ＶｏＩＰサービスをサポートする他のＩＰネットワーク（例えば、ＷｉＦｉ（登録商標）ホットスポット、等）を通してＶｏＩＰプロバイダを使用することによって、セルラネットワークを完全にバイパスすることをユーザが選ぶとき、上述のワイヤレス通信システムのいずれかを介してサービスを提供するセルラキャリア（例えば、スプリント、ベライゾン、ＡＴ＆Ｔ、等）は、通信経験の制御を失う。同様に、オリジナル機器製造者（ＯＥＭ）は、それらのデバイス上でＶｏＩＰプロバイダが使用されることに対してほとんど制御を有さない。
【概要】
【０００４】
［０００４］
実施形態において、ボイスオーバーインターネットプロトコル（ＶｏＩＰ）入札者は、ＶｏＩＰプロバイダおよび／またはＶｏＩＰアクセスネットワークと交渉して、ＶｏＩＰプロバイダを、ＶｏＩＰアクセスネットワーク（例えば、１組の特定のＷｉＦｉ  ＡＰ、非ローミングセルラアクセスネットワーク、等）に対する優先またはデフォルトＶｏＩＰプロバイダとして確立する。優先またはデフォルトＶｏＩＰプロバイダとして、ＶｏＩＰアクセスネットワークは、ＶｏＩＰアクセスネットワークを通してユーザ機器（ＵＥ）にＶｏＩＰサービスを提供するように構成されている１つ以上の他のＶｏＩＰプロバイダと比較して、ＶｏＩＰプロバイダを介してＵＥにＶｏＩＰサービスを提供するための優先の性能および／または契約条件（またはＶｏＩＰ機会）を与える。さらなる実施形態において、ＵＥのうちの１つは、ＶｏＩＰアクセスネットワークに接続し、そして、ＶｏＩＰアクセスネットワークを通してＶｏＩＰプロバイダを介してＵＥに利用可能である、優先の性能および／または契約条件を、ＵＥのユーザに対してアドバタイズする。
【図面の簡単な説明】
【０００５】
［０００５］
本発明の実施形態とそれに伴う多くの利点のより完全な理解は、添付の図面とともに考慮するとき、以下の詳細な説明を参照することによって同じものがより良く理解されるので、容易に得られるだろう。図面は、単に例示のために示されており、本発明を限定するものではない。
【図１】［０００６］  図１は、本発明の実施形態にしたがった、ワイヤレス通信システムの高レベルシステムアーキテクチャを図示している。
【図２】［０００７］  図２は、本発明の実施形態にしたがった、ユーザ機器（ＵＥ）の例を図示している。
【図３】［０００８］  図３は、本発明の実施形態にしたがった、機能性を実行するように構成されている論理を含む通信デバイスを図示している。
【図４】［０００９］  図４は、セルラキャリアネットワークおよび複数のＶｏＩＰプロバイダに加入する所定のＵＥに関して生じる従来の通話動作を図示している。
【図５】［００１０］  図５は、本発明の実施形態にしたがった、１つ以上のボイスオーバーインターネットプロトコル（ＶｏＩＰ）入札者が、１組のＶｏＩＰアクセスネットワークを通しての、少なくとも１つのＶｏＩＰプロバイダに対する、優先の性能および／または契約条件を交渉する手順を図示している。
【図６】［００１１］  図６は、本発明の実施形態にしたがった、所定のＵＥによって、ＶｏＩＰセッションに携わるプロセスを図示している。
【図７Ａ】［００１２］  図７Ａは、本発明の実施形態にしたがった、所定のＵＥにおけるＶｏＩＰプロバイダアドバタイズスクリーンを図示している。
【図７Ｂ】［００１３］  図７Ｂは、本発明の実施形態にしたがった、所定のＵＥにおける別のＶｏＩＰプロバイダアドバタイズスクリーンを図示している。
【図８Ａ】［００１４］  図８Ａは、オペレーティングシステム（ＯＳ）によって確立されたデフォルトＶｏＩＰがＶｏＩＰ通話に対して使用される従来のシナリオを図示している。
【図８Ｂ】［００１５］  図８Ｂは、本発明の実施形態にしたがった、ＶｏＩＰプロバイダが特定のＶｏＩＰアクセスネットワークと交渉して、そのＶｏＩＰサービスの使用に動機を与えるように優先のサービスを提示する図５〜図６の実行に基づいた使用のケースを図示している。
【詳細な説明】
【０００６】
［００１６］
本発明の態様は、本発明の特定の実施形態に向けられている以下の説明および関連する図面において開示されている。代替的な実施形態は、本発明の範囲から逸脱することなく考案してもよい。加えて、本発明の周知のエレメントは、本発明の関連する詳細を曖昧にしないように、詳細に記述されないか、または、省略されるだろう。
【０００７】
［００１７］
「例として、事例として、あるいは実例として機能すること」を意味するために、言葉「例示的な」および／または「例」をここで使用する。「例示的な」ものとして、および／または、「例」として、ここで説明するいずれの実施形態も、他の実施形態と比較して、必ずしも、好ましいまたは効果的なものと解釈すべきではない。同様に、用語「本発明の実施形態」は、本発明のすべての実施形態が、議論した特徴、利点、または動作のモードを含むことを要求していない。
【０００８】
［００１８］
さらに、例えば、コンピューティングデバイスのエレメントによって実行されることになるアクションのシーケンスに関して多くの実施形態を説明する。ここで説明するさまざまなアクションは、特定回路（例えば、特定用途向け集積回路（ＡＳＩＣ））によって、１つ以上のプロセッサにより実行されているプログラム命令によって、または両方の組み合わせによって実行することができることが認識されるだろう。加えて、ここで説明するアクションのこれらのシーケンスは、コンピュータ読取可能記憶媒体の任意の形態内で完全に具現化されると考えることができ、コンピュータ読取可能記憶媒体は、実行される際、関係付けられたプロセッサにここで説明する機能を実行させる、その中に記憶された対応した組のコンピュータ命令を有する。したがって、本発明のさまざまな態様は多数の異なる形態で具現化してもよく、これらのすべては特許請求の範囲に記載の主題事項の範囲内であると企図されている。加えて、ここで説明する実施形態のそれぞれに対して、何らかのこのような実施形態の対応する形態は、ここでは、例えば、説明するアクションを実行「するように構成されている論理」と説明するかもしれない。
【０００９】
［００１９］
ここでユーザ機器（ＵＥ）として呼ばれているクライアントデバイスは、移動体または静的であってもよく、無線アクセスネットワーク（ＲＡＮ）と通信してもよい。ここで使用されるように、用語「ＵＥ」は、「アクセス端末」または「ＡＴ」、「ワイヤレスデバイス」、「加入者デバイス」、「加入者端末」、「加入者局」、「ユーザ端末」またはＵＴ、「移動端末」、「移動局」、およびこれらのバリエーションとして交換可能に呼ばれることがある。一般的に、ＵＥはＲＡＮを介してコアネットワークと通信でき、コアネットワークを通して、ＵＥはインターネットのような外部ネットワークに接続できる。もちろん、ワイヤードアクセスネットワーク、（例えばＩＥＥＥ８０２．１１、等に基づく）ＷｉＦｉネットワーク等を通してのような、コアネットワークおよび／またはインターネットに接続する他のメカニズムもＵＥに対して可能である。ＵＥは、ＰＣカード、コンパクトフラッシュ（登録商標）デバイス、外部また内部モデム、ワイヤレスまたはワイヤライン電話機、等を含む多数のタイプのデバイスのうちの任意のものによって具現化してもよいが、これらに限定されない。ＵＥが信号をＲＡＮに送ることができる通信リンクは、アップリンクチャネル（例えば、リバーストラフィックチャネル、リバース制御チャネル、アクセスチャネル、等）と呼ばれる。ＲＡＮが信号をＵＥに送ることができる通信リンクは、ダウンリンクまたはフォワードリンクチャネル（例えば、ページングチャネル、制御チャネル、ブロードキャストチャネル、フォワードトラフィックチャネル、等）と呼ばれる。ここで使用するように、用語、トラフィックチャネル（ＴＣＨ）は、アップリンク／リバースリンクまたはダウンリンク／フォワードのトラフィックチャネルのいずれかを指すことがある。
【００１０】
［００２０］
図１は、本発明の実施形態にしたがった、ワイヤレス通信システム１００の高レベルシステムアーキテクチャを図示している。ワイヤレス通信システム１００は、ＵＥ１．．．Ｎを含んでいる。ＵＥ１．．．Ｎは、セルラ電話機、パーソナルデジタルアシスタント（ＰＤＡ）、ページャ、ラップトップコンピュータ、デスクトップコンピュータ、等を含むことがある。例えば、図１において、ＵＥ１．．．２はセルラ通話電話機として図示され、ＵＥ３．．．５は、セルラタッチスクリーン電話機またはスマートフォンとして図示され、ＵＥ  Ｎは、デスクトップコンピュータまたはＰＣとして図示されている。
【００１１】
［００２１］
図１を参照すると、ＵＥ１．．．Ｎは、エアインターフェース１０４、１０６、１０８、および／または、ダイレクトワイヤード接続として図１中に示されている、物理通信インターフェースまたはレイヤを通して、（例えば、ＲＡＮ１２０、アクセスポイント１２５、等のような）アクセスネットワークと通信するように構成されている。エアインターフェース１０４および１０６は、所定のセルラ通信プロトコル（例えば、ＣＤＭＡ、ＥＶＤＯ、ｅＨＲＰＤ、ＧＳＭ、ＥＤＧＥ、Ｗ−ＣＤＭＡ（登録商標）、ＬＴＥ、等）に適合できる一方で、エアインターフェース１０８は、ワイヤレスＩＰプロトコル（例えば、ＩＥＥＥ８０２．１１）に適合できる。ＲＡＮ１２０は、エアインターフェース１０４、１０６のようなエアインターフェースを通してＵＥにサービスする複数のアクセスポイントを含んでいる。ＲＡＮ１２０におけるアクセスポイントは、アクセスノードまたはＡＮ、アクセスポイントまたはＡＰ、基地局またはＢＳ、ノードＢ、ｅノードＢ、等として呼ばれることがある。これらのアクセスポイントは、地上アクセスポイント（または地上局）、あるいは衛星アクセスポイントであることがある。ＲＡＮ１２０は、コアネットワーク１４０に接続するように構成されている。コアネットワーク１４０は、ＲＡＮ１２０によって担当されるＵＥと、ＲＡＮ１２０または異なるＲＡＮによって全体として担当される他のＵＥとの間の回線切替（ＣＳ）通話をブリッジすることを含む、さまざまな機能を実行でき、インターネット１７５のような外部ネットワークとのパケット交換（ＰＳ）データの交換を取り次ぐこともできる。インターネット１７５は、（便宜上図１中に示していない）多数のルーティングエージェントおよび処理エージェントを含んでいる。図１において、インターネット１７５に直接接続されているとして（すなわち、ＷｉＦｉまたは８０２．１１ベースのネットワークのイーサネット（登録商標）接続を通してのような、コアネットワーク１４０からは離れて）、ＵＥ  Ｎが示されている。これにより、インターネット１７５は、コアネットワーク１４０を介して、ＵＥ  ＮとＵＥ１．．．Ｎとの間のパケット交換データ通信をブリッジするように機能することができる。ＲＡＮ１２０から分離されているアクセスポイント１２５も図１中に示されている。アクセスポイント１２５は、（例えば、ＦｉＯＳ、ケーブルモデム、等のような光学通信システムを介して）コアネットワーク１４０とは無関係に、インターネット１７５に接続されてもよい。エアインターフェース１０８は、例において、ＩＥＥＥ８０２．１１のような、ローカルワイヤレス接続を通してＵＥ４またはＵＥ５を担当してもよい。ＵＥ  Ｎは、モデムまたはルータへのダイレクト接続のような、インターネット１７５へのワイヤード接続を有するデスクトップコンピュータとして示されており、モデムまたはルータは、例において、（例えば、ワイヤードおよびワイヤレス接続性の両方を有するＷｉＦｉルータに対する、）アクセスポイント１２５自体に対応できる。
【００１２】
［００２２］
図１を参照すると、インターネット１７５、コアネットワーク１４０、またはその両方に接続されているとして、サーバ１７０が示されている。サーバ１７０は、複数の構造的に別のサーバとして実現することができ、または、代替的に単一のサーバに対応してもよい。以下でより詳細にこれから説明するように、サーバ１７０は、コアネットワーク１４０および／またはインターネット１７５を介してサーバ１７０に接続できるＵＥに対して１つ以上の通信サービス（例えば、ボイスオーバーインターネットプロトコル（ＶｏＩＰ）セッション、プッシュ・ツー・トーク（ＰＴＴ）セッション、グループ通信セッション、ソーシャルネットワーキングサービス、等）をサポートするように構成されており、ならびに／あるいは、コンテンツをＵＥに提供（例えば、ウェブページダウンロード）するように構成されている。
【００１３】
［００２３］
図２は、本発明の実施形態にしたがった、ＵＥ（すなわち、クライアントデバイス）の例を図示している。図２を参照すると、ＵＥ２００Ａが通話電話機として図示され、ＵＥ２００Ｂがタッチスクリーンデバイス（例えば、スマートフォン、タブレットコンピュータ、等）として図示されている。図２中に示すように、ＵＥ２００Ａの外部ケーシングは、技術的に知られているように、数あるコンポーネントのなかで、アンテナ２０５Ａ、ディスプレイ２１０Ａ、少なくとも１つのボタン２１５Ａ（例えば、ＰＴＴボタン、電源ボタン、ボリューム制御ボタン、等）およびキーパット２２０Ａにより構成されている。また、ＵＥ２００Ｂの外部ケーシングは、技術的に知られているように、数あるコンポーネントのなかで、タッチスクリーンディスプレイ２０５Ｂ、周辺ボタン２１０Ｂ、２１５Ｂ、２２０Ｂおよび２２５Ｂ（例えば、電源制御ボタン、ボリュームまたは振動制御ボタン、機内モードトグルボタン、等）、少なくとも１つのフロントパネルボタン２３０Ｂ（例えば、ホームボタン、等）により構成されている。ＵＥ２００Ｂの一部として明示的に示されていないが、ＵＥ２００Ｂは、ＵＥ２００Ｂの外部ケーシングに組み込まれた１つ以上の外部アンテナおよび／または１つ以上の統合アンテナを含むことができ、ＷｉＦｉアンテナ、セルラアンテナ、衛星位置システム（ＳＰＳ）アンテナ（例えば、グローバルポジショニングシステム（ＧＰＳ）アンテナ）、等を含むがこれらに限定されない。
【００１４】
［００２４］
ＵＥ２００ＡおよびＵＥ２００ＢのようなＵＥの内部コンポーネントは、異なるハードウェアコンフィギュレーションにより具現化することができ、内部ハードウェアコンポーネントに対する基本的な高レベルＵＥコンフィギュレーションは、図２中にプラットフォーム２０２として示されている。プラットフォーム２０２は、最終的にコアネットワーク１４０、インターネット１７５、ならびに／あるいは、他の遠隔サーバおよびネットワーク（例えば、アプリケーションサーバ１７０、ウェブＵＲＬ、等）から来るかもしれない、ＲＡＮ１２０から送信されるソフトウェアアプリケーション、データおよび／またはコマンドを受信して、実行できる。プラットフォーム２０２は、ＲＡＮ対話なしでローカルに記憶されているアプリケーションを独立して実行することもできる。プラットフォーム２０２は、トランシーバ２０６を含み、トランシーバ２０６は、特定用途向け集積回路（ＡＳＩＣ）２０８、または他のプロセッサ、マイクロプロセッサ、論理回路、または他のデータ処理デバイスに動作可能に結合されている。ＡＳＩＣ２０８または他のプロセッサは、ワイヤレスデバイスのメモリ２１２中の任意の常駐プログラムとインターフェースする、アプリケーションプログラミングインターフェース（ＡＰＩ）２１０レイヤを実行する。メモリ２１２は、リードオンリーメモリまたはランダムアクセスメモリ（ＲＡＭおよびＲＯＭ）、ＥＥＰＲＯＭ（登録商標）、フラッシュカード、あるいは、コンピュータプラットフォームに共通の任意のメモリから構成することができる。プラットフォーム２０２は、メモリ２１２中でアクティブに使用されていないアプリケーションとともに他のデータを記憶できる、ローカルデータベース２１４も含むことができる。ローカルデータベース２１４は、典型的にフラッシュメモリセルであるが、技術的に知られているように、磁気媒体、ＥＥＰＲＯＭ、光学媒体、テープ、ソフトまたはハードディスク、あるいはこれらに類するもののような、任意の２次記憶デバイスとすることができる。
【００１５】
［００２５］
したがって、本発明の実施形態は、ここで説明する機能を実行する能力を含むＵＥ（例えば、ＵＥ２００Ａ、ＵＥ２００Ｂ、等）を含むことができる。当業者によって認識されるように、さまざまな論理エレメントは、ここで開示する機能を達成するために、ディスクリートエレメント、プロセッサ上で実行されるソフトウェアモジュール、または、ソフトウェアおよびハードウェアの任意の組み合わせにおいて具現化することができる。例えば、ＡＳＩＣ２０８、メモリ２１２、ＡＰＩ２１０およびローカルデータベース２１４は、ここで開示するさまざまな機能を協同してロード、記憶、および実行するためにすべて使用してもよく、したがって、これらの機能を実行する論理は、さまざまなエレメントを通して分散させてもよい。代替的に、機能は、１つのディスクリートコンポーネントに組み込んでもよい。したがって、図２中のＵＥ２００ＡおよびＵＥ２００Ｂの特徴は、単なる例示であると考えるべきであり、本発明は、図示した特徴またはアレンジメントに限定されない。
【００１６】
［００２６］
ＵＥ２００Ａおよび／またはＵＥ２００ＢとＲＡＮ１０２との間のワイヤレス通信は、ＣＤＭＡ、Ｗ−ＣＤＭＡ、時分割多元接続（ＴＤＭＡ）、周波数分割多元接続（ＦＤＭＡ）、直交周波数分割多重（ＯＦＤＭ）、ＧＳＭ、あるいは、ワイヤレス通信ネットワークまたはデータ通信ネットワークにおいて使用される他のプロトコルのような、異なる技術に基づくことができる。上記で議論し、技術的に知られているように、音声送信および／またはデータは、さまざまなネットワークおよびコンフィギュレーションを使用して、ＲＡＮからＵＥに送信することができる。したがって、ここで提供する実例は、本発明の実施形態を限定することを意図したものではなく、単に、本発明の実施形態の態様の説明において支援するものである。
【００１７】
［００２７］
図３は、機能性を実行するように構成されている論理を含む、通信デバイス３００を図示している。通信デバイス３００は、上記で着目した通信デバイスのいずれかに対応することができ、ＵＥ２００ＡまたはＵＥ２００Ｂ、ＲＡＮ１２０の任意のコンポーネント、コアネットワーク１４０の任意のコンポーネント、コアネットワーク１４０および／またはインターネット１７５（例えば、サーバ１７０）に結合された任意のコンポーネント、等を含むがこれらに限定されない。したがって、通信デバイス３００は、図１のワイヤレス通信システム１００を通して１つ以上の他のエンティティと通信するように（または通信を促進するように）構成されている任意の電子デバイスに対応できる。
【００１８】
［００２８］
図３を参照すると、通信デバイス３００は、情報を受信および／または送信するように構成されている論理３０５を含んでいる。例において、通信デバイス３００がワイヤレス通信デバイス（例えば、ＵＥ２００Ａまたは２００Ｂ、ＡＰ１２５、ＢＳ、ＲＡＮ１２０におけるノードＢまたはｅノードＢ、等）に対応している場合、情報を受信および／または送信するように構成されている論理３０５は、ワイヤレストランシーバおよび関係付けられているハードウェア（例えば、ＲＦアンテナ、ＭＯＤＥＭ、変調器および／または復調器、等）のような、ワイヤレス通信インターフェース（例えば、ブルートゥース（登録商標）、ＷｉＦｉ、２Ｇ、ＣＤＭＡ、Ｗ−ＣＤＭＡ、３Ｇ、４Ｇ、ＬＴＥ、等）を含むことができる。別の例において、情報を受信および／または送信するように構成されている論理３０５は、ワイヤード通信インターフェース（例えば、シリアル接続、ＵＳＢまたはファイヤワイヤ接続、インターネット１７５にアクセスできるイーサネット（登録商標）接続、等）に対応することができる。したがって、通信デバイス３００がネットワークベースのサーバ（例えば、サーバ１７０、等）のいくつかのタイプに対応する場合、情報を受信および／または送信するように構成されている論理３０５は、例において、ネットワークベースのサーバをイーサネットプロトコルを介して他の通信エンティティに接続する、イーサネットカードに対応することができる。さらなる例において、情報を受信および／または送信するように構成されている論理３０５は、通信デバイス３００がそのローカル環境を監視できる、感覚または測定ハードウェア（例えば、加速度計、温度センサ、光センサ、ローカルＲＦ信号を監視するためのアンテナ、等）を含むことができる。情報を受信および／または送信するように構成されている論理３０５はまた、実行されるとき、情報を受信および／または送信するように構成されている論理３０５の関係付けられているハードウェアがその受信機能および／または送信機能を実行できるようにする、ソフトウェアを含むことができる。しかしながら、情報を受信および／または送信するように構成されている論理３０５は、ソフトウェアだけに対応するのではなく、情報を受信および／または送信するように構成されている論理３０５は、ハードウェアに少なくとも部分的に依存して、その機能性を達成する。
【００１９】
［００２９］
図３を参照すると、通信デバイス３００は、情報を処理するように構成されている論理３１０をさらに含んでいる。例において、情報を処理するように構成されている論理３１０は、少なくともプロセッサを含んでいる。情報を処理するように構成されている論理３１０によって実行することができる処理のタイプの例示的なインプリメンテーションは、決定を実行すること、接続を確立すること、異なる情報オプション間で選択すること、データに関連する評価を実行すること、通信デバイス３００に結合されているセンサと対話して測定動作を実行すること、１つのフォーマットから別のフォーマットへ（例えば、．ｗｍｖ  から．ａｖｉ、等のような異なるプロトコル間）情報を変換すること、等を含むが、これらに限定されない。例えば、情報を処理するように構成されている論理３１０中に含まれているプロセッサは、汎用プロセッサ、デジタル信号プロセッサ（ＤＳＰ）、ＡＳＩＣ、フィールドプログラマブルゲートアレイ（ＦＰＧＡ）または他のプログラマブル論理デバイス、ディスクリートゲートまたはトランジスタ論理、ディスクリートハードウェアコンポーネント、あるいはここで説明する機能を実行するように設計されたこれらの任意の組み合わせに対応することができる。汎用プロセッサはマイクロプロセッサであってもよいが、代替実施形態では、プロセッサは、任意の従来のプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアとともに１つ以上のマイクロプロセッサ、または、他の何らかのこのようなコンフィギュレーション、であるコンピューティングデバイスの組み合わせとして実現してもよい。情報を処理するように構成されている論理３１０はまた、実行されるとき、情報を処理するように構成されている論理３１０の関係付けられているハードウェアがその処理機能を実行できるようにする、ソフトウェアを含むことができる。しかしながら、情報を処理するように構成されている論理３１０は、ソフトウェアだけに対応するのではなく、情報を処理するように構成されている論理３１０は、ハードウェアに少なくとも部分的に依存して、その機能性を達成する。
【００２０】
［００３０］
図３を参照すると、通信デバイス３００は、情報を記憶させるように構成されている論理３１５をさらに含んでいる。例において、情報を記憶させるように構成されている論理３１５は、少なくとも非一時的メモリおよび関係付けられているハードウェア（例えば、メモリ制御装置、等）を含むことができる。例えば、情報を記憶させるように構成されている論理３１５中に含まれる非一時的メモリは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に知られている他の何らかの形態の記憶媒体に対応することができる。情報を記憶させるように構成されている論理３１５はまた、実行されるとき、情報を記憶させるように構成されている論理３１５の関係付けられているハードウェアがその記憶機能を実行できるようにする、ソフトウェアを含むことができる。しかしながら、情報を記憶させるように構成されている論理３１５は、ソフトウェアだけに対応するのではなく、情報を記憶させるように構成されている論理３１５は、少なくとも部分的にハードウェアに依存して、その機能性を達成する。
【００２１】
［００３１］
図３を参照すると、通信デバイス３００は、さらにオプション的に、情報を提示するように構成されている論理３２０を含んでいる。例において、情報を提示するように構成されている論理３２０は、少なくとも出力デバイスおよび関係付けられているハードウェアを含むことができる。例えば、出力デバイスは、ビデオ出力デバイス（例えば、ディスプレイスクリーンや、ＵＳＢ、ＨＤＭＩ（登録商標）等のようなビデオ情報を伝えることができるポート）、オーディオ出力デバイス（例えば、スピーカや、マイクロフォンジャック、ＵＳＢ、ＨＤＭＩ、等のようなオーディオ情報を伝えることができるポート）、振動デバイス、ならびに／あるいは、通信デバイス３００のユーザまたはオペレータによって、出力のために情報をフォーマットできるまたは実際に情報を出力できる、他の何らかのデバイスを含むことができる。例えば、通信デバイス３００は、図２中で示すような、ＵＥ２００ＡまたはＵＥ２００Ｂに対応し、情報を提示するように構成されている論理３２０は、ＵＥ２００Ａのディスプレイ２１０ＡまたはＵＥ２００Ｂのタッチスクリーンディスプレイ２０５Ｂを含むことができる。さらなる例において、情報を提示するように構成されている論理３２０は、ローカルユーザを有さないネットワーク通信デバイス（例えば、ネットワークスイッチまたはルータ、サーバ１７０のような遠隔サーバ、等）のような、ある通信デバイスに対して省略することができる。情報を提示するように構成されている論理３２０はまた、実行されるとき、情報を提示するように構成されている論理３２０の関係付けられているハードウェアがその表示機能を実行できるようにする、ソフトウェアを含むことができる。しかしながら、情報を提示するように構成されている論理３２０は、ソフトウェアだけに対応するのではなく、情報を提示するように構成されている論理３２０は、少なくとも部分的にハードウェアに依存して、その機能性を達成する。
【００２２】
［００３２］
図３を参照すると、通信デバイス３００は、さらにオプション的に、ローカルユーザ入力を受け取るように構成されている論理３２５を含んでいる。例において、ローカルユーザ入力を受け取るように構成されている論理３２５は、少なくともユーザ入力デバイスおよび関係付けられているハードウェアを含むことができる。例えば、ユーザ入力デバイスは、ボタン、タッチスクリーンディスプレイ、キーボード、カメラ、オーディオ入力デバイス（例えば、マイクロフォン、または、マイクロフォンジャック等のようなオーディオ情報を伝えることができるポート）、ならびに／あるいは、通信デバイス３００のユーザまたはオペレータから情報を受け取ることができる他の何らかのデバイスを含むことができる。例えば、通信デバイス３００は、図２中で示すような、ＵＥ２００ＡまたはＵＥ２００Ｂに対応する場合、ローカルユーザ入力を受け取るように構成されている論理３２５は、キーパッド２２０Ａ、ボタン２１５Ａまたは２１０Ｂから２２５Ｂのいずれか、タッチスクリーンディスプレイ２０５Ｂ、等を含むことができる。さらなる例において、ローカルユーザ入力を受け取るように構成されている論理３２５は、ローカルユーザを有さないネットワーク通信デバイス（例えば、ネットワークスイッチまたはルータ、サーバ１７０のような遠隔サーバ、等）のような、ある通信デバイスに対して省略することができる。ローカルユーザ入力を受け取るように構成されている論理３２５はまた、実行されるとき、ローカルユーザ入力を受け取るように構成されている論理３２５の関係付けられているハードウェアが、その入力受取機能を実行できるようにするソフトウェアを含むことができる。しかしながら、ローカルユーザ入力を受け取るように構成されている論理３２５は、ソフトウェアだけに対応するのではなく、ローカルユーザ入力を受け取るように構成されている論理３２５は、少なくとも部分的にハードウェアに依存して、その機能性を達成する。
【００２３】
［００３３］
図３を参照すると、構成されている論理３０５から３２５は、図３において別々のまたは別個のブロックとして示されているが、それぞれ構成されている論理がその機能性を実行するハードウェアおよび／またはソフトウェアは、部分的にオーバーラップできると認識されるだろう。情報を記憶させるように構成されている論理３１５によって記憶されているソフトウェアの動作に部分的に基づいて、構成されている論理３０５から３２５のそれぞれがそれらの機能性（すなわち、このケースにおいて、ソフトウェア実行）を実行できるように、例えば、構成されている論理３０５から３２５の機能性を促進するために使用される任意のソフトウェアは、情報を記憶させるように構成されている論理３１５に関係付けられた非一時的メモリに記憶することができる。同様に、構成されている論理のうちの１つに直接関係付けられているハードウェアは、時々、他の構成されている論理によって借りるまたは使用することができる。例えば、情報を処理するように構成されている論理３１０に関係付けられているハードウェア（すなわち、プロセッサ）の動作に部分的に基づいて、情報を受信および／または送信するように構成されている論理３０５がその機能性（すなわち、このケースにおいて、データの送信）を実行することができるように、情報を処理するように構成されている論理３１０のプロセッサは、情報を受信および／または送信するように構成されている論理３０５によって送信される前に、適切なフォ―マットにデータをフォーマットすることができる。
【００２４】
［００３４］
一般的に、そうではないと明示的に述べられない限り、本開示全体を通して使用されるフレーズ「するように構成されている論理」は、少なくとも部分的にハードウェアにより実現される実施形態を実行することを意図したものであり、ハードウェアから独立したソフトウェアのみの実現をマッピングすることを意図したものではない。また、さまざまなブロックにおける、構成されている論理または「するように構成されている論理」は、特定の論理ゲートまたはエレメントに限定されるものではなく、（ハードウェア、または、ハードウェアとソフトウェアとの組み合わせ、のいずれかを介して）ここに説明する機能性を実行するための能力を一般に指していることが認識されるだろう。したがって、さまざまなブロックにおいて図示されている、構成されている論理または「するように構成されている論理」は、言葉「論理」を共有しているにもかかわらず、必ずしも論理ゲートまたは論理エレメントとして実現されるわけではない。さまざまなブロックにおける論理間の他の対話または協調は、以下でより詳細に説明する実施形態のレビューから、当業者に明らかになるだろう。
【００２５】
［００３５］
現在、セルラプロバイダのデータネットワークを介してＶｏＩＰプロバイダ（例えば、ｉＯＳ上のフェイスタイム、アンドロイド上のグーグルボイス、ウインドウズフォン上のスカイプ、等）を使用することをユーザが選ぶとき、または、ＶｏＩＰサービスをサポートする他のＩＰネットワーク（例えば、ＷｉＦｉホットスポット、等）を通してＶｏＩＰプロバイダを使用することによって、セルラネットワークを完全にバイパスすることをユーザが選ぶとき、上述のワイヤレス通信システムのいずれかを介してサービスを提供するセルラキャリア（例えば、スプリント、ベライゾン、ＡＴ＆Ｔ、等）は、通信経験の制御を失う。同様に、オープンマーケットハンドセット（ＯＭＨ）（すなわち、適切なＳＩＭカードを挿入することによって、キャリアの制約なく、任意の互換性のあるキャリアネットワーク上でユーザが使用できる、アンロックされたデバイスとして販売されるＵＥ）のオリジナル機器製造者（ＯＥＭ）は、それらのデバイス上でＶｏＩＰプロバイダが使用されることに対してほとんど制御を有さない。さらに、ＶｏＩＰプロバイダ自身は、典型的に、ＶｏＩＰプロバイダの加入者がそのＶｏＩＰサービスへのアクセスを取得する、個々のＶｏＩＰアクセスネットワークに対してほとんど制御を有さない。
【００２６】
［００３６］
図４は、セルラキャリアネットワークおよび複数のＶｏＩＰプロバイダ（例えば、グーグルボイス、フェイスタイム、スカイプ、等）に加入する所定のユーザ機器（ＵＥ）に関して生じる従来の通話動作を図示している。図４を参照すると、所定のＵＥは、セルラキャリアネットワーク（例えば、スプリント、ベライゾン、ＡＴ＆Ｔ、等）を通して回線交換（ＣＳ）通話に携わっており４００、セルラキャリアネットワークは、ＣＳ通話に対して、所定のＵＥのセルラキャリア加入に関係付けられた通話レートに基づいて、所定のＵＥに請求する４０５。いく分か後の時点で、所定のＵＥは、ＶｏＩＰアクセスネットワーク１とも呼ばれるセルラキャリアネットワークを通してのＶｏＩＰプロバイダ２（例えば、スカイプ、グーグルボイス、フェイスタイム、等）を介したＶｏＩＰ通話に携わり４１０、セルラキャリアネットワークは、ＶｏＩＰ通話に対して、所定のＵＥのセルラキャリア加入に関係付けられたデータレートに基づいて、所定のＵＥに請求し４１５、ＶｏＩＰプロバイダ２は、ＶｏＩＰ通話に対して、所定のＵＥのＶｏＩＰプロバイダ２へのＶｏＩＰ加入に関係付けられた通話レートに基づいて、所定のＵＥに請求する４２０。いく分か後の時点で、所定のＵＥは、ＶｏＩＰアクセスネットワーク２．．．Ｎ（例えば、ＷｉＦｉアクセスポイント、第三者音声サービス、異なるセルラキャリア、等）のうちの１つを通したＶｏＩＰプロバイダ１（例えば、スカイプ、グーグルボイス、フェイスタイム、等）を介しての別のＶｏＩＰ通話に携わり４２５、ＶｏＩＰプロバイダ１は、ＶｏＩＰ通話に対して、所定のＵＥのＶｏＩＰプロバイダ１へのＶｏＩＰ加入に関係付けられた通話レートに基づいて、所定のＵＥに請求する４３０。
【００２７】
［００３７］
認識されるように、図４中のセルラキャリア、ＶｏＩＰプロバイダ１およびＶｏＩＰプロバイダ２、所定のＵＥを製造したＯＥＭ（例えば、サムスン、モトローラ、ノキア、等）のいずれも、特定のＶｏＩＰアクセスネットワークに接続されるときに、特定のＶｏＩＰプロバイダを使用するように所定のＵＥに命令する立場に必ずしもない。したがって、本発明の実施形態は、ＯＥＭおよび／またはセルラキャリアと、１つ以上のＶｏＩＰアクセスネットワーク内で優先（またはデフォルト）ＶｏＩＰプロバイダを確立するこれらのＶｏＩＰアクセスネットワークとの間の交渉（またはオークション）に向けられている。交渉（またはオークション）手順の一部として、優先の設定（例えば、サービス品質（ＱｏＳ）のような性能レベルおよび／または値付けのような契約条件）を、優先またはデフォルトＶｏＩＰプロバイダに割り振ることができる。優先の設定は、交渉に参加した、ＯＥＭおよび／またはセルラキャリアに関係付けられたＵＥの加入者（または購入者）に対して利用可能にすることができる。上記の交渉手順の例は、図５に関して以下で提供する。
【００２８】
［００３８］
図５を参照すると、１組のＶｏＩＰ入札者はそれぞれ、１つ以上のデータアクセスプロバイダ（ＤＡＰ）との、制御および／または契約上の取り決めを交渉する５００。ＤＡＰは、データネットワークアクセスを提供する任意のエンティティを含み、任意のエンティティは、セルラキャリア（例えば、ベライゾン、スプリント、等）、ＷｉＦｉアクセスポイント（例えば、ボインゴおよび多くの小企業および公共図書館によって提供されるＷｉＦｉアクセスネットワークのような、任意の公的または私的のＷｉＦｉアクセスネットワーク）、または他の何らかのデータアクセスポイント（例えば、多くのホテルまたは他の企業とともにローカルケーブル会社で利用可能なワイヤードネットワーク）を含んでいる。ＶｏＩＰアクセスネットワーク（またはＤＡＰ）は、ある程度のＶｏＩＰサービスへのアクセスをＵＥに提供できる任意のネットワークに対応すると理解して、ＤＡＰは代替的に「ＶｏＩＰアクセスネットワーク」と呼ばれることがある。
【００２９】
［００３９］
ＶｏＩＰ入札者は、ＶｏＩＰ入札者の自身のＶｏＩＰサービス、または、別のＶｏＩＰプロバイダによって提供されるＶｏＩＰサービスであり得る、優先ＶｏＩＰサービスを選択するユーザまたは１組のユーザに対して優先の待遇を提示しようとする任意の当事者またはエンティティを含むことができる。このようなことから、ＶｏＩＰ入札者は、ＯＭＨ  ＯＥＭ（例えば、サムスン、モトローラ、等）、任意の関心のあるＤＡＰまたはＶｏＩＰプロバイダとともに、特定のＶｏＩＰサービスを促進することに関心のある他の何らかの当事者を含んでいてもよい。例えば、図５の５００を参照すると、第１のＶｏＩＰ入札者は、複数のＷｉＦｉホットスポットを配備したＤＡＰ（またはＶｏＩＰアクセスネットワーク）であってもよい。別の例において、第２のＶｏＩＰ入札者は、ＷｉＦｉホットスポットの独立したオペレータ（例えば、ローカルケーブル会社または公共図書館、等）と共有使用の取り決めを結ぼうとするＶｏＩＰプロバイダ等であってもよい。別の例において、第３のＶｏＩＰ入札者は、別の市場またはテリトリ（例えば、公共図書館によって運営されるホットスポット）における、別のＤＡＰと取り決めを結ぶことにより、そのサービスを売ろうとするＤＡＰ（例えば、ボインゴ）であってもよい。各ＶｏＩＰ入札者のそれぞれは、異なる、オーバーラップしない組のＤＡＰ（またはＶｏＩＰアクセスネットワーク）との、各ＶｏＩＰ入札者の制御および／または契約上の取り決めをセットアップすることができる。代替的に、２人以上のＶｏＩＰ入札者に対する１組のＤＡＰは、（少なくとも部分的に）オーバーラップしてもよく、結果として、特定のＤＡＰに対して、１つより多いＶｏＩＰプロバイダが優先されることがある。このケースにおいて、異なるＶｏＩＰ入札者との関連に基づく異なる優先ＶｏＩＰプロバイダ設定を、または、２人以上のＶｏＩＰ入札者との関連を有するＵＥに対する特定のＤＡＰにおける、異なる層の優先設定を、異なるＵＥに提供してもよい（例えば、スプリントが、グーグルボイスに対して優先のＶｏＩＰパラメータをセットアップし、スカイプが、同じＤＡＰ上でスカイプ自身に対して優先のＶｏＩＰパラメータを設定する場合、スカイプにも加入するスプリント加入者ＵＥは、優先のＶｏＩＰパラメータの両方の組から利益を受けてもよい）。
【００３０】
［００４０］
５００において、１組のＶｏＩＰアクセスネットワーク（またはＤＡＰ）との、制御および／または契約上の取り決めを確立した後、ＶｏＩＰ入札者のそれぞれは、特定の組のＶｏＩＰプロバイダに対する、それぞれのＶｏＩＰ入札者に関係付けられたＵＥ用の優先の性能および／または契約条件を交渉する５０５。例えば、第１のＶｏＩＰ入札者（例えば、ＯＥＭ、セルラキャリアまたはＶｏＩＰプロバイダ）は、５００からの第１の組のＷｉＦｉホットスポットを制御していてもよく、しきい値レベルのＱｏＳで半額のスカイプＶｏＩＰサービスを提示してもよく、第２のＶｏＩＰ入札者は、第２の組のＷｉＦｉホットスポットに対する契約上の取り決めを取得して、その加入者または購入者にサービスを提供してもよく、それにより、第２の組のＷｉＦｉホットスポットは、ＱｏＳなし等の無料のグーグルボイスＶｏＩＰサービスを提示する。
【００３１】
［００４１］
引き続き図５中の５０５を参照すると、別の例において、特定のＶｏＩＰプロバイダとＶｏＩＰ入札者との間のパートナーシップが、ＶｏＩＰ  ＩＤと電話番号のある程度の統合を含む場合（例えば、グーグルボイスとのスプリント、スカイプとのベライゾン、等）、優先の性能および／または契約条件は、「通常の」電話番号（例えば、ＶｏＩＰ  ＩＤの代わりに、セルラ電話番号または固定電話番号）を使用して、低減された価格でまたはそれどころか無料でＶｏＩＰ通話を許容することができる。さらなる例において、所定のＶｏＩＰ入札者は、特定の地理的領域を担当するＶｏＩＰアクセスネットワーク（またはＤＡＰ）内で優先の性能および／または契約条件を確立することを望むかもしれない。例えば、ＡＴ＆Ｔは、データプラン残高を減らさない、非ローミング加入者のＶｏＩＰ通話を許可することを決めてもよい。このケースにおいて、ネットワークにおいて動作しているとき、加入者のデータプランが空にならないように、ＡＴ＆Ｔは、加入者がＶｏＩＰ通話に対して特定のＶｏＩＰプロバイダを使用するように促進することができる。
【００３２】
［００４２］
図５を参照すると、特定のＶｏＩＰアクセスネットワーク（またはＤＡＰ）に対する交渉に成功した組の優先の性能および／または契約条件は、「優先ＶｏＩＰ機会」と呼ばれてもよく、それにより、優先ＶｏＩＰ機会は、１組の優先の性能および／または契約条件が交渉されたＶｏＩＰアクセスネットワーク（またはＤＡＰと）、交渉された組の優先の性能および／または契約条件を提示する関係付けられたＶｏＩＰサービスと、交渉された組の優先の性能および／または契約条件自体（その特定のＶｏＩＰアクセスネットワークまたはＤＡＰ上で、関係付けられたＶｏＩＰサービスを使用するために利用可能な条件と呼ばれることがある）と示す。
【００３３】
［００４３］
５１０において、成功したＶｏＩＰ入札者は、その交渉された優先の性能および／または契約条件を１つ以上のターゲットＵＥに配信し、その後、ターゲットＵＥは、交渉された優先の性能および／または契約条件（または、「優先ＶｏＩＰ機会」）を記憶する。例において、ＯＭＨ  ＯＥＭに対応するＶｏＩＰ入札者に対して、交渉された優先の性能および／または契約条件をＶｏＩＰ入札者が配信した１つ以上のターゲットＵＥは、ＯＭＨ  ＯＥＭによって製造されたＵＥを含む。したがって、ＯＭＨ  ＯＥＭがサムスンに対応する場合、サムスンは、そのＵＥに対して、サムスン製造ＵＥに対する交渉された優先の性能および／または契約条件を提供してもよい。代替の例において、ＶｏＩＰプロバイダ（例えば、スカイプ、グーグルボイス、等）に対応するＶｏＩＰ入札者に対して、交渉された優先の性能および／または契約条件は、ＶｏＩＰプロバイダのクライアントソフトウェアがダウンロードされるとき、１つ以上のターゲットＵＥに配信することができる。したがって、スカイプの例において、交渉された優先の性能および／または契約条件は、１つ以上のターゲットＵＥ上にダウンロード（または事前インストール）されるスカイプクライアントアプリケーションとともにパッケージングすることができる。別の例において、セルラキャリアネットワーク（例えば、スプリント、ベライゾン、等）に対応するＶｏＩＰ入札者に対して、交渉された優先の性能および／または契約条件は、それぞれのセルラキャリアネットワークを通して、１つ以上のターゲットＵＥに配信することができる。
【００３４】
［００４４］
図６は、本発明の実施形態にしたがった、所定のＵＥによってＶｏＩＰセッションに携わるプロセスを図示している。特に、図５のプロセスを実行し、所定のＵＥに関係付けられている少なくとも１つのＶｏＩＰ入札者（例えば、所定のＵＥが加入している、ＶｏＩＰアクセスネットワーク、ＤＡＰまたはＶｏＩＰプロバイダ、所定のＵＥを製造したＯＭＨ  ＯＥＭ、等）によって交渉された優先の性能および／または契約条件（または優先ＶｏＩＰ機会）が、所定のＵＥに供給されて、記憶されていると仮定している。
【００３５】
［００４５］
図６を参照すると、所定のＵＥはＶｏＩＰアクセスネットワーク１（例えば、ＷｉＦｉ  ＡＰ、セルラデータネットワーク、等のようなＤＡＰ）に接続している６００。図６の実施形態において、ＶｏＩＰプロバイダ１が、ＶｏＩＰアクセスネットワーク１に対する（例えば、所定のＵＥに対する、特に、同じセルラキャリアに属するまたは同じＯＥＭによって製造されたＵＥのグループ、ＶｏＩＰプロバイダ１に加入しているＵＥのグループ、ＶｏＩＰアクセスネットワーク１にアクセスするすべてのＵＥ、のいずれかに対する）優先ＶｏＩＰプロバイダであると仮定している。したがって、所定のＵＥは、ＶｏＩＰアクセスネットワーク１へのその接続を決定し、少なくとも１つのＶｏＩＰ機会（例えば、ＶｏＩＰアクセスネットワーク１を通した特定のＶｏＩＰプロバイダに対する１組の優先の性能および／または契約条件）に関係付けられることになるＶｏＩＰアクセスネットワーク１を識別し、その後、ＶｏＩＰプロバイダ１に関係付けられた優先の性能および／または契約条件を所定のＵＥのユーザにアドバタイズする６０５。例において、６０５では、ＶｏＩＰプロバイダ１に関係付けられている優先の性能および／または契約条件は、図７Ａ中に示すようにアドバタイズすることができ、図７Ａでは、以下のように仮定されている。ＶｏＩＰアクセスネットワーク１はスターバックスＷｉＦｉホットスポットであり（スターバックスは、スカイプを使用するために特定のＶｏＩＰ入札者とのＷｉＦｉ共有構成を有しているとさらに仮定されている）、ＶｏＩＰプロバイダ１はスカイプであり、ＶｏＩＰプロバイダ２はグーグルボイスであり、（図６中に示されていない）ＶｏＩＰプロバイダ３はボネージである。図７Ａにおいて、優先ＶｏＩＰ機会は、ＶｏＩＰアクセスネットワークまたはＤＡＰとしてのスターバックスＷｉＦｉ、優先ＶｏＩＰ機会に対する関係付けられたＶｏＩＰサービスとしてのスカイプ、スターバックスＷｉＦｉを通してスカイプを利用するために利用可能な条件としてのスカイプ通話レートおよび性能条件、のインジケーションに対応する。
【００３６】
［００４６］
図７Ａにおいて、優先ＶｏＩＰプロバイダ（すなわち、スカイプ）のユーザ選択が、スカイプクライアントアプリケーションをそれぞれのＵＥ上で起動させる一方で、非優先ＶｏＩＰプロバイダのうちのいずれかのユーザ選択が、非優先ＶｏＩＰプロバイダのそれぞれのクライアントアプリケーションをＵＥ上で起動させるように、アドバタイズされるＶｏＩＰプロバイダを、ユーザ選択可能アイコンとして実現してもよい。図７Ａにおいて示すように、所定のＵＥがスターバックスＷｉＦｉに接続されている限り、グーグルボイスまたはボネージ（例えば、それぞれ毎分７セントおよび毎分１０セント）とは対照的に、スカイプは優先の契約条件または通話レート（例えば、毎分２セント）が割り振られ、グーグルボイス（例えば、４００ｋｐｂｓの保証ビットレート（ＧＢＲ）ＱｏＳ）またはボネージ（例えば、ＱｏＳでない）と比較して、スカイプは優先の性能（例えば、８００ｋｐｂｓのＧＢＲ  ＱｏＳ）も割り振られる。したがって、所定のＵＥのユーザは、ＶｏＩＰアクセスネットワーク１に接続している間、必ずしも強いられないが、ＶｏＩＰプロバイダ１を使用する動機が与えられる。
【００３７】
［００４７］
図７Ａ中には示されていないが、所定のＵＥのユーザには、なぜ所定のＵＥはスカイプを介しての優先の性能レベルおよび値付けに対する資格が与えられているかに関してオプション的に通知されることもある。言い換えると、信用を築き、顧客感情を向上するように、スカイプを介しての優先の性能レベルおよび値付けを提供することにより、ＶｏＩＰ入札者（このケースにおいて、サムスン）は、エンドユーザにＶｏＩＰ入札者を信用してもらいたいのである。したがって、サムスンが、ＶｏＩＰアクセスネットワーク１における優先のスカイプ条件をそのハンドセットに許可するためにＶｏＩＰアクセスネットワーク１に支払いをしたＶｏＩＰ入札者であった場合、所定のＵＥのユーザには、この事実（例えば、「サムスンによってスカイプセービングがあなたにもたらされた」、等）が通知されてもよい。
【００３８】
［００４８］
図６を参照すると、（例えば、所定のＵＥのユーザが、その現在のＶｏＩＰ通話環境を認識して、ＶｏＩＰ通話を開始することを促進するまたは思いとどまらせることができるように）所定のＵＥが、ＶｏＩＰアクセスネットワーク１へのその接続を確立することに関連して、６０５のアドバタイズすることが生じ得る。（例えば、通話セットアップにおいて、ユーザがよりスマートな決定をして、ＶｏＩＰ通話性能を向上するおよび／またはＶｏＩＰ通話課金を低減できるように）６２０において、所定のＵＥのユーザがＶｏＩＰ通話のセットアップを試行することに応答して、アドバタイズすることがトリガされるように、６０５のアドバタイズすることが、通話セットアップシナリオに応答することに関連して、代替的に（または累積して）生じ得る。
【００３９】
［００４９］
６１０において、ＶｏＩＰアクセスネットワーク１を通してのＶｏＩＰプロバイダ１を介して、所定のＵＥがＶｏＩＰ通話に携わり、ＶｏＩＰプロバイダ１が、所定のＵＥに対する、優先の性能および／または契約条件に基づいて、ＶｏＩＰサービスを所定のＵＥに提供し、所定のＵＥに請求する６１５と仮定する。例えば、図７Ａの例にしたがって６１５が実行される場合、スカイプサーバは、毎分２セントの通話レートに基づいて、ＶｏＩＰ通話に対して所定のＵＥに課金しつつ、ＶｏＩＰ通話の間、所定のＵＥに８００ｋｐｂｓのＱｏＳ  ＧＢＲを提供してもよい。
【００４０】
［００５０］
図６を参照すると、６１０〜６１５からの所定のＵＥのＶｏＩＰ通話が終了した後、少し経った時点で、所定のＵＥは、ＶｏＩＰアクセスネットワーク２（例えば、異なるＷｉＦｉ  ＡＰ、等）に接続する。図６の実施形態において、ＶｏＩＰプロバイダ２が、ＶｏＩＰアクセスネットワーク２に対する（例えば、所定のＵＥに対する、特に、同じセルラキャリアに属するまたは同じＯＥＭによって製造されたＵＥのグループ、ＶｏＰプロバイダ２に加入しているＵＥのグループ、ＶｏＩＰアクセスネットワーク２にアクセスするすべてのＵＥ、のいずれかに対する）優先ＶｏＩＰプロバイダであると仮定している。したがって、所定のＵＥは、ＶｏＩＰアクセスネットワーク２へのその接続を決定し、少なくとも１つのＶｏＩＰ機会（例えば、ＶｏＩＰアクセスネットワーク２を通した特定のＶｏＩＰプロバイダに対する１組の優先の性能および／または契約条件）に関係付けられることになるＶｏＩＰネットワーク２を識別し、その後、所定のＵＥは、ＶｏＩＰプロバイダ２に関係付けられた優先の性能および／または契約条件を所定のＵＥのユーザにアドバタイズする６２５。例において、６２５では、ＶｏＩＰプロバイダ２に関係付けられている優先の性能および／または契約条件は、図７Ｂ中に示されているようにアドバタイズすることができ、図７Ｂでは、以下のように仮定されている。ＶｏＩＰアクセスネットワークはベライゾンが運営するＷｉＦｉネットワークであり（ベライゾンはグーグルボイスに対する優先の設定を配信するための構成を有しているとさらに仮定されている）、ＶｏＩＰプロバイダ１はスカイプであり、ＶｏＩＰプロバイダ２はグーグルボイスであり、（図６中に示されていない）ＶｏＩＰプロバイダ３はボネージある。図７Ｂにおいて、優先ＶｏＩＰ機会は、ＶｏＩＰアクセスネットワークまたはＤＡＰとしてのベライゾンＷｉＦｉ、優先ＶｏＩＰ機会に対する関係付けられたＶｏＩＰサービスとしてのグーグルボイス、ベライゾンＷｉＦｉを通してグーグルボイスを利用するために利用可能な条件としてのグーグルボイス通話レートおよび性能条件、のインジケーションに対応する。
【００４１】
［００５１］
図７Ｂにおいて、優先ＶｏＩＰプロバイダ（すなわち、グーグルボイス）のユーザ選択が、グーグルボイスクライアントアプリケーションをそれぞれのＵＥ上で起動させる一方で、非優先ＶｏＩＰプロバイダのうちのいずれかのユーザ選択が、非優先ＶｏＩＰプロバイダのそれぞれのクライアントアプリケーションをＵＥ上で起動させるように、アドバタイズされているＶｏＩＰプロバイダを、ユーザ選択可能アイコンとして実現してもよい。図６において示すように、所定のＵＥが、ベライゾンが運営するＷｉＦｉネットワークに接続されている限り、スカイプまたはボネージ（例えば、それぞれ毎分４セントおよび毎分１０セント）とは対照的に、グーグルボイスは優先の契約条件または通話レート（例えば、毎分０セント、すなわち無料）が割り振られ、スカイプ（例えば、ＱｏＳでない）、または、ボネージ（例えば、ＱｏＳでない）と比較して、グーグルボイスは優先の性能（例えば、１２００ｋｐｂｓのＧＢＲ  ＱｏＳ）も割り振られる。したがって、所定のＵＥのユーザは、ＶｏＩＰアクセスネットワーク２に接続している間、必ずしも強いられないが、ＶｏＩＰプロバイダ２を使用する動機が与えられる。
【００４２】
［００５２］
図７Ｂ中には示されていないが、所定のＵＥのユーザには、なぜ所定のＵＥはベライゾンＷｉＦｉホットスポットを介しての優先の性能レベルおよび値付けに対する資格が与えられているかに関してオプション的に通知されることもある。言い換えると、信用を築き、顧客感情を向上するように、グーグルボイスを介しての優先の性能レベルおよび値付けを提供することにより、ＶｏＩＰ入札者（このケースにおいて、ベライゾン）は、エンドユーザにＶｏＩＰ入札者を信用してもらいたいのである。したがって、ベライゾンが、ＶｏＩＰアクセスネットワーク２における優先のグーグルボイス条件をそのハンドセットに許可するために、ＶｏＩＰアクセスネットワーク２を実現するように支払いをしたＶｏＩＰ入札者である場合、所定のＵＥのユーザには、この事実（例えば、「ベライゾンによってグーグルボイスセービングがあなたにもたらされた」、等）が通知されてもよい。
【００４３】
［００５３］
図６を参照すると、６０５と類似して、（例えば、所定のＵＥのユーザが、その現在のＶｏＩＰ通話環境を認識して、ＶｏＩＰ通話を開始することを促進するまたは思いとどまらせることができるように）所定のＵＥがＶｏＩＰアクセスネットワーク２へその接続を確立することに関連して、６２５のアドバタイズすることが生じ得る。（例えば、通話セットアップにおいて、ユーザがよりスマートな決定をして、ＶｏＩＰ通話性能を向上するおよび／またはＶｏＩＰ通話課金を低減できるように）６３０において、所定のＵＥのユーザがＶｏＩＰ通話のセットアップを試行することに応答して、アドバタイズすることがトリガされるように、６２５のアドバタイズすることが、通話セットアップシナリオに応答することに関連して、代替的に（または累積して）生じ得る。
【００４４】
［００５４］
６３０において、ＶｏＩＰアクセスネットワーク２を通してのＶｏＩＰプロバイダ２を介して、所定のＵＥがＶｏＩＰ通話に携わり、ＶｏＩＰプロバイダ２が、所定のＵＥに対する、優先の性能および／または契約条件に基づいて、ＶｏＩＰサービスを所定のＵＥに提供し、所定のＵＥに請求する６３５と仮定する。例えば、図７Ｂの例にしたがって６３５が実行される場合、グーグルボイスサーバは、所定のＵＥに課金をやめつつ（例えば、なぜなら図７Ｂ中に示されているグーグルボイスは、ベライゾンＷｉＦｉホットスポットを通しての無料サービスとなるため）、ＶｏＩＰ通話の間、所定のＵＥに１２００ｋｐｂｓのＱｏＳ  ＧＢＲを提供してもよい。
【００４５】
［００５５］
認識されるであろうように、特定の優先の性能および／または契約要件に関して、図６に対する他の多数の潜在的なインプリメンテーションがあり、図７Ａ〜７Ｂは、２つの特定の例の単なる例示である。別の例において、ＶｏＩＰアクセスネットワークは、（ＷｉＦｉホットスポットとは対照的に）セルラキャリアネットワーク等に対応することができる。このケースにおいて、優先の性能および／または契約条件は、ＶｏＩＰアクセスネットワークのクラス（例えば、セルラ、ＷｉＦｉ等）に部分的に基づいて、変化することがある。例えば、ＷｉＦｉベースのＶｏＩＰアクセスネットワークと、より高いレベルのＱｏＳを交渉することは、セルラベースのＶｏＩＰアクセスネットワークと比較して、ＶｏＩＰ入札者にとってより安いまたはより実用的であるかもしれず、そのケースにおいて、ＷｉＦｉベースのＶｏＩＰアクセスネットワークに対して交渉されたＱｏＳは、セルラベースのＶｏＩＰアクセスネットワークに対して交渉されたＱｏＳと比較してより高いかもしれない。また、別の例において、ＶｏＩＰ入札者は、ＶｏＩＰアクセスネットワークまたはＯＭＨ  ＯＥＭの代わりに、ＶｏＩＰプロバイダに対応することができる。ＶｏＩＰプロバイダ（すなわち、スカイプ）がＶｏＩＰプロバイダであるシナリオを、図８Ｂに関して以下に提供する。
【００４６】
［００５６］
図８Ａは、オペレーティングシステム（ＯＳ）（すなわち、アンドロイド）によって確立されたデフォルトＶｏＩＰプロバイダ（すなわち、グーグルボイス）がＶｏＩＰ通話に対して使用されている従来のシナリオを図示している。図８Ａにおいて、第１のＵＥ８００Ａは、第１のＡＰ８０５Ａによって担当され、第２のＵＥ８１０Ａは、第２のＡＰ８１５Ａによって担当されている。第１のＵＥ８００Ａおよび第２のＵＥ８０５Ａは、それぞれアンドロイドＯＳデバイスであり、アンドロイドＯＳデバイスは、任意のＶｏＩＰ通話に対してグーグルボイスをデフォルトＶｏＩＰプロバイダとするように、グーグルによって構成されている。したがって、第１のＵＥ８００Ａおよび第２のＵＥ８０５Ａは、スカイプサーバ８２５Ａとは対照的に、グーグルボイスサーバ８２０Ａによって取り次がれるグーグルボイスＶｏＩＰ通話に携わるように示されている。第１のＵＥ８００Ａおよび第２のＵＥ８０５Ａの両方がスカイプ加入者であったとしても、例えば、スカイプは、アンドロイドＯＳデバイスへのターゲット方法において、そのＶｏＩＰサービスの使用に動機を与える方法をほとんど有さない。
【００４７】
［００５７］
図８Ｂは、図５〜図６の実行に基づく使用ケースを図示しており、ＶｏＩＰプロバイダ（すなわち、スカイプ）は、そのＶｏＩＰサービスの使用に動機を与えるように、特定のＶｏＩＰアクセスネットワークと交渉して、優先の性能を提示できる。図８Ｂにおいて、８００Ｂから８２５Ｂは、図８Ａの８００Ａから８２５Ａに対応し、簡潔さのために、さらには説明しない。図８Ｂにおいて、アンドロイドＯＳ  ＵＥ８００ＡおよびアンドロイドＯＳ  ＵＥ８００Ｂは、グーグルボイスＶｏＩＰサービスの代わりに、スカイプＶｏＩＰサービスを使用するように示されており、このアクションは、特定のＶｏＩＰアクセスネットワーク上の優先のＶｏＩＰ性能および／または契約条件の使用を介して促進され、優先のＶｏＩＰ性能および／または契約条件は、図５のプロセスを使用して、スカイプによって交渉され、図６のプロセスを使用して、実現することができる。
【００４８】
［００５８］
さまざまな異なるテクノロジーおよび技術のうちのいずれかを使用して、情報および信号を表してもよいことを、当業者は正しく認識するだろう。上記の説明全体を通して参照した、例えば、データ、命令、コマンド、情報、信号、ビット、シンボル、およびチップは、電圧、電流、電磁波、磁界または磁粒、光界または光粒、あるいはこれらの任意の組み合わせによって表してもよい。
【００４９】
［００５９］
さらに、ここに開示した実施形態に関連して説明した、さまざまな例示的な論理ブロック、モジュール、回路およびアルゴリズムステップを、電子ハードウェア、コンピュータソフトウェア、または両方の組み合わせとして実現してもよいことを、当業者は認識するだろう。ハードウェアおよびソフトウェアのこの互換性を明確に図示するために、さまざまな例示的なコンポーネント、ブロック、モジュール、回路およびステップを、一般的に、これらの機能性に関して上記で説明している。このような機能性が、ハードウェアまたはソフトウェアとして実現されるか否かは、全体的なシステムに課せられている特定のアプリケーションおよび設計制約に依存する。熟練者が、それぞれの特定のアプリケーションの方法を変えて、説明した機能性を実現するかもしれないが、このようなインプリメンテーションの決定は、本発明の範囲からの逸脱が生じるとして解釈されるべきではない。
【００５０】
［００６０］
ここで開示した実施形態に関連して記述した、さまざまな例示的な、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、または、ここで説明した機能を実行するように設計されているこれらの任意の組み合わせで実現しても、あるいは、実行してもよい。汎用プロセッサはマイクロプロセッサであってもよいが、代替実施形態では、プロセッサは、任意の従来のプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアに関連する１つ以上のマイクロプロセッサ、または、他の何らかのこのようなコンフィギュレーションである、コンピューティングデバイスの組み合わせとして実現してもよい。
【００５１】
［００６１］
ここに開示した実施形態と関連して説明した方法、シーケンス、および／またはアルゴリズムは、ハードウェアで、プロセッサにより実行されるソフトウェアモジュールで、あるいは、２つを組み合わせたもので直接的に具現化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に既知である他の何らかの形態の記憶媒体中に存在してもよい。プロセッサが記憶媒体から情報を読み取ったり、記憶媒体に情報を書き込んだりできるように、例示的な記憶媒体はプロセッサに結合されている。代替において、記憶媒体は、プロセッサに統合されてもよい。プロセッサおよび記憶媒体はＡＳＩＣ中に存在してもよい。ＡＳＩＣは、ユーザ端末（例えば、ＵＥ）中に存在してもよい。代替において、プロセッサおよび記憶媒体は、ユーザ端末中にディスクリートコンポーネントとして存在してもよい。
【００５２】
［００６２］
１つ以上の例示的な実施形態において、説明した機能は、ハードウェア、ソフトウェア、ファームウェア、またはこれらの任意の組み合わせで実現してもよい。ソフトウェアで実現する場合、機能は、１つ以上の命令またはコードとしてコンピュータ読取可能媒体上に記憶されてもよく、あるいは、１つ以上の命令またはコードとしてコンピュータ読取可能媒体上に送信されてもよい。コンピュータ読取可能媒体は、１つの場所から別の場所へのコンピュータプログラムの転送を促進する任意の媒体を含む、コンピュータ記憶媒体および通信媒体の両方を含む。記憶媒体は、コンピュータによってアクセスできる任意の利用可能な媒体であってもよい。限定ではなく例として、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいはコンピュータによってアクセスできる命令またはデータ構造の形態で所望のプログラムコードを運ぶまたは記憶するために使用できる他の何らかの媒体を含むことができる。また、任意の接続は、コンピュータ読取可能媒体と適切に呼ばれる。例えば、ソフトウェアが、ウェブサイトから、サーバから、あるいは、同軸ケーブル、ファイバ光ケーブル、撚り対、デジタル加入者線（ＤＳＬ）、または赤外線や、無線や、マイクロ波のようなワイヤレス技術を使用している他の遠隔ソースから送信された場合、同軸ケーブル、ファイバ光ケーブル、撚り対、ＤＳＬ、あるいは、赤外線や、無線や、マイクロ波のようなワイヤレス技術は、媒体の定義に含まれる。ここで使用したようなディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。上記の組み合わせもまた、コンピュータ読取可能媒体の範囲内に含まれるべきである。
【００５３】
［００６３］
上述の開示は、本発明の例示的な実施形態を示しているが、添付した特許請求の範囲によって規定したような本発明の範囲から逸脱することなく、ここでさまざまな変更および改良することができることに、留意すべきである。ここで説明した本発明の実施形態にしたがった機能、方法クレームのステップおよび／またはアクションは、何らかの特定の順序で実行される必要はない。さらに、本発明のエレメントは単数形で説明され、または、特許請求の範囲に説明されているが、単数形に対する限定が明示的に述べられない限り、複数形を企図している。
【図１】
2016517208.tif 000003
【図２】
2016517208.tif 000004
【図３】
2016517208.tif 000005
【図４】
2016517208.tif 000006
【図５】
2016517208.tif 000007
【図６】
2016517208.tif 000008
【図７Ａ】
2016517208.tif 000009
【図７Ｂ】
2016517208.tif 000010
【図８Ａ】
2016517208.tif 000011
【図８Ｂ】
2016517208.tif 000012
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
複数のボイスオーバーインターネットプロトコル（ＶｏＩＰ）プロバイダによって提供される複数ＶｏＩＰサービスに加入するユーザ機器（ＵＥ）を動作させる方法において、
第１の組のＶｏＩＰアクセスネットワークを通したＶｏＩＰ通話に携わるための、第１の組の交渉された優先の性能および／または契約条件を、前記ＵＥのプロセッサにより受信することと、
前記第１の組の交渉された優先の性能および／または契約条件に基づいて、前記複数のＶｏＩＰプロバイダのうちの第１のＶｏＩＰプロバイダを、前記第１の組のＶｏＩＰアクセスネットワークに対する優先ＶｏＩＰプロバイダとして、前記ＵＥのプロセッサにより関係付けることと、
前記ＵＥが、前記第１の組のＶｏＩＰアクセスネットワークのうちの第１のＶｏＩＰアクセスネットワークに接続されていると、前記ＵＥのプロセッサにより決定することと、
前記ＵＥが前記第１のＶｏＩＰアクセスネットワークに接続されていると決定することに応答して、前記第１のＶｏＩＰアクセスネットワークに関係付けられている前記優先ＶｏＩＰプロバイダを使用して、前記ＵＥのプロセッサにより、前記第１のＶｏＩＰアクセスネットワークを通したＶｏＩＰ通話に携わることとを含む方法。
【請求項２】
前記ＵＥが前記第１のＶｏＩＰアクセスネットワークに接続されていると決定することに応答して、前記第１のＶｏＩＰアクセスネットワークを通して前記第１のＶｏＩＰプロバイダを介して前記ＵＥに利用可能である、前記第１の組の交渉された優先の性能および／または契約条件を、前記ＵＥのプロセッサにより、前記ＵＥのユーザに対して提示することをさらに含む請求項１記載の方法。
【請求項３】
前記第１の組の交渉された優先の性能および／または契約条件を、前記ＵＥが加入するセルラキャリアと、前記ＵＥが加入する所定のＶｏＩＰアクセスネットワークと、前記ＵＥのオリジナル機器製造者（ＯＥＭ）とのうちの１つ以上間で交渉する請求項１記載の方法。
【請求項４】
前記ＵＥが前記第１のＶｏＩＰアクセスネットワークに接続されていると決定することに応答して、前記第１のＶｏＩＰアクセスネットワークを通して前記第１のＶｏＩＰプロバイダを介して前記ＵＥに利用可能である、前記第１の組の交渉された優先の性能および／または契約条件を、前記ＵＥのプロセッサにより、前記ＵＥのユーザに対して提示することは、１つ以上の他のＶｏＩＰプロバイダに関係付けられた１つ以上の他の組の性能および／または契約条件と関係付けて、前記第１の組の交渉された優先の性能および／または契約条件を、前記ＵＥのプロセッサにより提示する請求項２記載の方法。
【請求項５】
第２の組のＶｏＩＰアクセスネットワークを通したＶｏＩＰ通話に携わるための、第２の組の交渉された優先の性能および／または契約条件を、前記ＵＥのプロセッサにより受信することと、
前記第２の組の交渉された優先の性能および／または契約条件に基づいて、前記複数のＶｏＩＰプロバイダのうちの第２のＶｏＩＰプロバイダを、前記第２の組のＶｏＩＰアクセスネットワークに対する優先ＶｏＩＰプロバイダとして、前記ＵＥのプロセッサにより関係付けることと、
前記ＵＥが、前記第２の組のＶｏＩＰアクセスネットワークに属する第２のＶｏＩＰアクセスネットワークに接続されていると、前記ＵＥのプロセッサにより決定することと、
前記ＵＥが前記第２のＶｏＩＰアクセスネットワークに接続されていると決定することに応答して、前記第２のＶｏＩＰアクセスネットワークを通して前記第２のＶｏＩＰプロバイダを介して前記ＵＥに利用可能である、第２の組の交渉された優先の性能および／または契約条件を、前記ＵＥのプロセッサにより、前記ＵＥのユーザに対して提示することとをさらに含む請求項２記載の方法。
【請求項６】
前記第１の組の交渉された優先の性能および／または契約条件は、第１のレベルのサービス品質（ＱｏＳ）を含み、
前記第２の組の交渉された優先の性能および／または契約条件は、前記第１のレベルのＱｏＳとは異なる第２のレベルのＱｏＳを含む請求項５記載の方法。
【請求項７】
前記第１のレベルのＱｏＳは前記第２のレベルのＱｏＳよりも高く、
前記第１の組のＶｏＩＰアクセスネットワークは、ＷｉＦｉベースのＶｏＩＰアクセスネットワークに関係付けられており、
前記第２の組のＶｏＩＰアクセスネットワークは、セルラベースのＶｏＩＰアクセスネットワークに関係付けられている請求項６記載の方法。
【請求項８】
前記ＵＥが前記第１のＶｏＩＰアクセスネットワークに接続されている間、前記ＶｏＩＰ通話を開始する、前記ＵＥのユーザによる試行を、前記ＵＥのプロセッサにより検出することをさらに含む請求項１記載の方法。
【請求項９】
前記提示することは、前記ＵＥが前記第１のＶｏＩＰアクセスネットワークに接続されている間、前記ＶｏＩＰ通話を開始する、前記ＵＥのユーザによる試行を、前記ＵＥのプロセッサにより検出することに応答して実行される請求項２記載の方法。
【請求項１０】
前記ＵＥが前記第１のＶｏＩＰアクセスネットワークを通して動作している間、前記第１のＶｏＩＰプロバイダが前記ＵＥに対する前記優先ＶｏＩＰプロバイダであることに基づいて、前記検出に応答して、前記第１のＶｏＩＰプロバイダを通して取り次がれる前記ＶｏＩＰ通話を管理するように構成されているＶｏＩＰクライアントアプリケーションが自動的に起動される請求項８記載の方法。
【請求項１１】
前記提示することは、ユーザ選択可能なアイコンとともに、前記第１の組の交渉された優先の性能および／または契約条件を提示し、前記ユーザ選択可能なアイコンは、前記第１のＶｏＩＰプロバイダを通して取り次がれる前記ＶｏＩＰ通話を管理するように構成されているＶｏＩＰクライアントアプリケーションを起動するように構成されている請求項２記載の方法。
【請求項１２】
前記第１の組の交渉された優先の性能および／または契約条件は、前記第１のＶｏＩＰプロバイダによる減少されたＶｏＩＰ請求レート、セルラキャリアネットワークによる減少されたデータレート課金および／またはサービス品質（ＱｏＳ）を含む請求項１記載の方法。
【請求項１３】
前記第１の組のＶｏＩＰアクセスネットワークは、（ｉ）前記ＵＥが加入するセルラキャリアネットワーク、（ｉｉ）前記ＵＥのオリジナル機器製造者（ＯＥＭ）、または、（ｉｉｉ）前記第１のＶｏＩＰプロバイダ、により制御される、および／または、との契約上の合意のもとで制御される、ＶｏＩＰアクセスネットワークに対応する請求項１記載の方法。
【請求項１４】
前記第１の組のＶｏＩＰアクセスネットワークは、ＷｉＦｉネットワークおよび／または広域ネットワーク（ＷＡＮ）ネットワークを含む請求項１記載の方法。
【請求項１５】
前記第１の組のＶｏＩＰアクセスネットワークは、セルラキャリアの無線アクセスネットワークの非ローミング部分に対応し、
前記セルラキャリアの無線アクセスネットワークのローミング部分に対応する第２の組のＶｏＩＰアクセスネットワークは、前記第１の組の交渉された優先の性能および／または契約条件に関係付けられていない請求項１記載の方法。
【請求項１６】
複数のボイスオーバーインターネットプロトコル（ＶｏＩＰ）サービスにアクセスするように構成されているユーザ機器（ＵＥ）を動作させる方法において、
交渉手順に応答して、複数の優先ＶｏＩＰ機会を示すデータを、ＵＥのプロセッサにより受信することと、
前記受信された複数の優先ＶｏＩＰ機会を、前記ＵＥのプロセッサにより記憶させ、前記複数の優先ＶｏＩＰ機会のそれぞれは、所定のデータアクセスプロバイダと、関係付けられたＶｏＩＰサービスと、前記所定のデータアクセスプロバイダを介して前記関係付けられたＶｏＩＰサービスを利用するために利用可能である条件とを示すことと、
前記ＵＥが第１のデータアクセスプロバイダに接続されていると、前記ＵＥのプロセッサにより決定することと、
前記決定に応答して、前記第１のデータアクセスプロバイダを示す少なくとも１つの優先ＶｏＩＰ機会を、前記ＵＥのプロセッサにより識別することと、
前記ＵＥが前記第１のデータアクセスプロバイダに接続されている間に、少なくとも、前記識別された少なくとも１つの優先ＶｏＩＰ機会に関係付けられたＶｏＩＰサービスを介して利用可能である前記識別された少なくとも１つの優先ＶｏＩＰ機会によって示される前記条件を、前記ＵＥのプロセッサにより、前記ＵＥのユーザに対して提示することとを含む方法。
【請求項１７】
前記提示することは、前記第１のデータアクセスプロバイダを介して前記ＵＥに利用可能である少なくとも１つの他のＶｏＩＰサービスに関係付けられた少なくとも１つの追加の１組の条件を、前記ＵＥのプロセッサにより、前記ＵＥのユーザに対して提示することをさらに含む請求項１６記載の方法。
【請求項１８】
前記少なくとも１つの他のＶｏＩＰサービスは、前記複数の優先ＶｏＩＰ機会のうちの少なくとも１つの中の前記第１のデータアクセスプロバイダに関係付けられている請求項１７記載の方法。
【請求項１９】
前記少なくとも１つの他のＶｏＩＰサービスは、前記複数の優先ＶｏＩＰ機会のうちの少なくとも１つの中の前記第１のデータアクセスプロバイダに関係付けられていない請求項１７記載の方法。
【請求項２０】
前記ＵＥが第２のデータアクセスプロバイダに接続されていると、前記ＵＥのプロセッサにより決定することと、
前記ＵＥが第２のデータアクセスプロバイダに接続されているとの決定に応答して、前記第２のデータアクセスプロバイダを示す１つ以上の優先ＶｏＩＰ機会を、前記ＵＥのプロセッサにより識別することと、
前記第２のデータアクセスプロバイダに接続されている間に、少なくとも、前記識別された１つ以上の優先ＶｏＩＰ機会に関係付けられた第２のＶｏＩＰサービスを利用することを前記ユーザが選択する場合に利用可能である前記識別された１つ以上の優先ＶｏＩＰ機会によって示される前記条件を、前記ＵＥのプロセッサにより、前記ＵＥのユーザに対して提示することとをさらに含む請求項１６記載の方法。
【請求項２１】
複数のボイスオーバーインターネットプロトコル（ＶｏＩＰ）プロバイダによって提供される複数ＶｏＩＰサービスに加入するユーザ機器（ＵＥ）において、
第１の組のＶｏＩＰアクセスネットワークを通したＶｏＩＰ通話に携わるための、第１の組の交渉された優先の性能および／または契約条件を受信する手段と、
前記第１の組の交渉された優先の性能および／または契約条件に基づいて、前記複数のＶｏＩＰプロバイダのうちの第１のＶｏＩＰプロバイダを、前記第１の組のＶｏＩＰアクセスネットワークに対する優先ＶｏＩＰプロバイダとして関係付ける手段と、
前記ＵＥが、前記第１の組のＶｏＩＰアクセスネットワークのうちの第１のＶｏＩＰアクセスネットワークに接続されていると決定する手段と、
前記ＵＥが前記第１のＶｏＩＰアクセスネットワークに接続されていると決定することに応答して、前記第１のＶｏＩＰアクセスネットワークに関係付けられている前記優先ＶｏＩＰプロバイダを使用して、前記第１のＶｏＩＰアクセスネットワークを通したＶｏＩＰ通話に携わる手段とを具備するＵＥ。
【請求項２２】
複数のボイスオーバーインターネットプロトコル（ＶｏＩＰ）サービスにアクセスするように構成されているユーザ機器（ＵＥ）において、
交渉手順に応答して、複数の優先ＶｏＩＰ機会を示すデータを受信する手段と、
前記受信された複数の優先ＶｏＩＰ機会を記憶し、前記複数の優先ＶｏＩＰ機会のそれぞれは、所定のデータアクセスプロバイダと、関係付けられたＶｏＩＰサービスと、前記所定のデータアクセスプロバイダを介して前記関係付けられたＶｏＩＰサービスを利用するために利用可能である条件とを示す手段と、
前記ＵＥが第１のデータアクセスプロバイダに接続されていると決定する手段と、
前記決定に応答して、前記第１のデータアクセスプロバイダを示す少なくとも１つの優先ＶｏＩＰ機会を識別する手段と、
前記ＵＥが前記第１のデータアクセスプロバイダに接続されている間に、少なくとも、前記識別された少なくとも１つの優先ＶｏＩＰ機会に関係付けられたＶｏＩＰサービスを介して利用可能である前記識別された少なくとも１つの優先ＶｏＩＰ機会によって示される前記条件を、前記ＵＥのユーザに対して提示する手段とを具備するＵＥ。
【請求項２３】
複数のボイスオーバーインターネットプロトコル（ＶｏＩＰ）プロバイダによって提供される複数ＶｏＩＰサービスに加入するユーザ機器（ＵＥ）において、
メモリと、
前記メモリに結合されているプロセッサとを具備し、
前記プロセッサは、プロセッサ実行可能な命令により、
第１の組のＶｏＩＰアクセスネットワークを通したＶｏＩＰ通話に携わるための、第１の組の交渉された優先の性能および／または契約条件を受信することと、
前記第１の組の交渉された優先の性能および／または契約条件に基づいて、前記複数のＶｏＩＰプロバイダのうちの第１のＶｏＩＰプロバイダを、前記第１の組のＶｏＩＰアクセスネットワークに対する優先ＶｏＩＰプロバイダとして関係付けることと、
前記ＵＥが、前記第１の組のＶｏＩＰアクセスネットワークのうちの第１のＶｏＩＰアクセスネットワークに接続されていると決定することと、
前記ＵＥが前記第１のＶｏＩＰアクセスネットワークに接続されていると決定することに応答して、前記第１のＶｏＩＰアクセスネットワークに関係付けられている前記優先ＶｏＩＰプロバイダを使用して、前記第１のＶｏＩＰアクセスネットワークを通したＶｏＩＰ通話に携わることとを含む動作を実行するように構成されているＵＥ。
【請求項２４】
複数のボイスオーバーインターネットプロトコル（ＶｏＩＰ）サービスにアクセスするように構成されているユーザ機器（ＵＥ）において、
メモリと、
前記メモリに結合されているプロセッサとを具備し、
前記プロセッサは、プロセッサ実行可能な命令により、
交渉手順に応答して、複数の優先ＶｏＩＰ機会を示すデータを受信することと、
前記複数の優先ＶｏＩＰ機会を記憶し、前記複数の優先ＶｏＩＰ機会のそれぞれは、所定のデータアクセスプロバイダと、関係付けられたＶｏＩＰサービスと、前記所定のデータアクセスプロバイダを介して前記関係付けられたＶｏＩＰサービスを利用するために利用可能である条件とを示すことと、
前記ＵＥが第１のデータアクセスプロバイダに接続されていると決定することと、
前記決定に応答して、前記第１のデータアクセスプロバイダを示す少なくとも１つの優先ＶｏＩＰ機会を識別することと、
前記ＵＥが前記第１のデータアクセスプロバイダに接続されている間に、少なくとも、前記識別された少なくとも１つの優先ＶｏＩＰ機会に関係付けられたＶｏＩＰサービスを介して利用可能である前記識別された少なくとも１つの優先ＶｏＩＰ機会によって示される前記条件を、前記ＵＥのユーザに対して提示することとを含む動作を実行するように構成されているＵＥ。
【請求項２５】
その上に記憶されているプロセッサ実行可能な命令を含む非一時的コンピュータ読取可能媒体において、
前記プロセッサ実行可能な命令は、複数のボイスオーバーインターネットプロトコル（ＶｏＩＰ）プロバイダによって提供される複数ＶｏＩＰサービスに加入するユーザ機器（ＵＥ）のプロセッサに、
第１の組のＶｏＩＰアクセスネットワークを通したＶｏＩＰ通話に携わるための、第１の組の交渉された優先の性能および／または契約条件を受信することと、
前記第１の組の交渉された優先の性能および／または契約条件に基づいて、前記複数のＶｏＩＰプロバイダのうちの第１のＶｏＩＰプロバイダを、前記第１の組のＶｏＩＰアクセスネットワークに対する優先ＶｏＩＰプロバイダとして関係付けることと、
前記ＵＥが、前記第１の組のＶｏＩＰアクセスネットワークのうちの第１のＶｏＩＰアクセスネットワークに接続されていると決定することと、
前記ＵＥが前記第１のＶｏＩＰアクセスネットワークに接続されていると決定することに応答して、前記第１のＶｏＩＰアクセスネットワークに関係付けられた前記優先ＶｏＩＰプロバイダを使用して、前記第１のＶｏＩＰアクセスネットワークを通したＶｏＩＰ通話に携わることとを含む動作を実行させるように構成されている非一時的コンピュータ読取可能媒体。
【請求項２６】
その上に記憶されているプロセッサ実行可能な命令を含む非一時的コンピュータ読取可能媒体において、
前記プロセッサ実行可能な命令は、複数のボイスオーバーインターネットプロトコル（ＶｏＩＰ）サービスにアクセスするように構成されているユーザ機器（ＵＥ）のプロセッサに、
交渉手順に応答して、複数の優先ＶｏＩＰ機会を示すデータを受信することと、
前記複数の優先ＶｏＩＰ機会を記憶し、前記複数の優先ＶｏＩＰ機会のそれぞれは、所定のデータアクセスプロバイダと、関係付けられたＶｏＩＰサービスと、前記所定のデータアクセスプロバイダを介して前記関係付けられたＶｏＩＰサービスを利用するために利用可能である条件とを示すことと、
前記ＵＥが第１のデータアクセスプロバイダに接続されていると決定することと、
前記決定に応答して、前記第１のデータアクセスプロバイダを示す少なくとも１つの優先ＶｏＩＰ機会を識別することと、
前記ＵＥが前記第１のデータアクセスプロバイダに接続されている間に、少なくとも、前記識別された少なくとも１つの優先ＶｏＩＰ機会に関係付けられたＶｏＩＰサービスを介して利用可能である前記識別された少なくとも１つの優先ＶｏＩＰ機会によって示される前記条件を、前記ＵＥのユーザに対して提示することとを含む動作を実行させるように構成されている非一時的コンピュータ読取可能媒体。
【手続補正２】
【補正対象書類名】明細書
【補正対象項目名】００５３
【補正方法】変更
【補正の内容】
【００５３】
［００６３］
上述の開示は、本発明の例示的な実施形態を示しているが、添付した特許請求の範囲によって規定したような本発明の範囲から逸脱することなく、ここでさまざまな変更および改良することができることに、留意すべきである。ここで説明した本発明の実施形態にしたがった機能、方法クレームのステップおよび／またはアクションは、何らかの特定の順序で実行される必要はない。さらに、本発明のエレメントは単数形で説明され、または、特許請求の範囲に説明されているが、単数形に対する限定が明示的に述べられない限り、複数形を企図している。
以下に、本願出願時の特許請求の範囲に記載された発明を付記する。
［１］複数のボイスオーバーインターネットプロトコル（ＶｏＩＰ）プロバイダによって提供される複数ＶｏＩＰサービスに加入するユーザ機器（ＵＥ）を動作させる方法において、
前記ＵＥが第１の組のＶｏＩＰアクセスネットワークを通して動作している間、前記複数のＶｏＩＰプロバイダのうちの第１のＶｏＩＰプロバイダを、前記ＵＥに対する優先またはデフォルトＶｏＩＰプロバイダとして関係付けることを含み、
前記第１のＶｏＩＰプロバイダは、ＶｏＩＰ入札エンティティ、前記第１のＶｏＩＰプロバイダおよび／または前記第１の組のＶｏＩＰアクセスネットワーク間の交渉を介して、前記ＶｏＩＰ入札エンティティによって、前記優先またはデフォルトＶｏＩＰプロバイダとして確立され、
前記第１の組のＶｏＩＰアクセスネットワークは、前記第１の組のＶｏＩＰアクセスネットワークを通して前記ＵＥにＶｏＩＰサービスを提供するように構成されている１つ以上の他のＶｏＩＰプロバイダと比較して、前記第１のＶｏＩＰプロバイダを介して前記ＵＥにＶｏＩＰサービスを提供するための第１の組の優先の性能および／または契約条件に関係付けられている方法。
［２］前記ＵＥが、前記第１の組のＶｏＩＰアクセスネットワークに属する第１のＶｏＩＰアクセスネットワークに接続されていると決定することと、
前記ＵＥが前記第１のＶｏＩＰアクセスネットワークに接続されていると決定することに応答して、前記第１のＶｏＩＰアクセスネットワークを通して前記第１のＶｏＩＰプロバイダを介して前記ＵＥに利用可能である、前記第１の組の優先の性能および／または契約条件を、前記ＵＥのユーザに対してアドバタイズすることとをさらに含む請求項１記載の方法。
［３］前記ＶｏＩＰ入札エンティティは、前記第１のＶｏＩＰプロバイダ、前記ＵＥが加入するセルラキャリア、前記ＵＥが加入する所定のＶｏＩＰアクセスネットワークおよび／または前記ＵＥのオリジナル機器製造者（ＯＥＭ）に対応する請求項２記載の方法。
［４］前記アドバタイズすることは、前記１つ以上の他のＶｏＩＰプロバイダに関係付けられた１つ以上の他の組の性能および／または契約条件と関係付けて、前記第１の組の優先の性能および／または契約条件をアドバタイズする請求項２記載の方法。
［５］前記ＵＥが第２の組のＶｏＩＰアクセスネットワークを通して動作している間、前記複数のＶｏＩＰプロバイダのうちの第２のＶｏＩＰプロバイダを、前記ＵＥに対する前記優先またはデフォルトＶｏＩＰプロバイダとして関係付けることと、
前記ＵＥが、前記第２の組のＶｏＩＰアクセスネットワークに属する第２のＶｏＩＰアクセスネットワークに接続されていると決定することと、
前記ＵＥが前記第２のＶｏＩＰアクセスネットワークに接続されていると決定することに応答して、前記第２のＶｏＩＰアクセスネットワークを通して前記第２のＶｏＩＰプロバイダを介して前記ＵＥに利用可能である、第２の組の優先の性能および／または契約条件を、前記ＵＥのユーザに対してアドバタイズすることとをさらに含み、
前記第２のＶｏＩＰプロバイダは、別のＶｏＩＰ入札エンティティ、前記第２のＶｏＩＰプロバイダおよび／または前記第２の組のＶｏＩＰアクセスネットワーク間の交渉を介して、前記別のＶｏＩＰ入札エンティティによって、前記優先またはデフォルトＶｏＩＰプロバイダとして確立され、
前記第２の組のＶｏＩＰアクセスネットワークは、前記第２の組のＶｏＩＰアクセスネットワークを通して前記ＵＥにＶｏＩＰサービスを提供するように構成されている少なくとも１つの他のＶｏＩＰプロバイダと比較して、前記第２のＶｏＩＰプロバイダを介して前記ＵＥにＶｏＩＰサービスを提供するための前記第２の組の優先の性能および／または契約条件に関係付けられている請求項２記載の方法。
［６］前記第１の組の優先の性能および／または契約条件は、第１のレベルのサービス品質（ＱｏＳ）を含み、
前記第２の組の優先の性能および／または契約条件は、前記第１のレベルのＱｏＳとは異なる第２のレベルのＱｏＳを含む請求項５記載の方法。
［７］前記第１のレベルのＱｏＳは前記第２のレベルのＱｏＳよりも高く、
前記第１の組のＶｏＩＰアクセスネットワークは、ＷｉＦｉベースのＶｏＩＰアクセスネットワークに関係付けられており、
前記第２の組のＶｏＩＰアクセスネットワークは、セルラベースのＶｏＩＰアクセスネットワークに関係付けられている請求項６記載の方法。
［８］前記ＵＥが前記第１のＶｏＩＰアクセスネットワークに接続されている間、ＶｏＩＰ通話を開始する、前記ＵＥのユーザによる試行を検出することをさらに含む請求項２記載の方法。
［９］前記アドバタイズすることは、前記検出に応答して実行される請求項８記載の方法。
［１０］前記ＵＥが前記第１のＶｏＩＰアクセスネットワークを通して動作している間、前記第１のＶｏＩＰプロバイダが前記ＵＥに対する前記優先またはデフォルトＶｏＩＰプロバイダであることに基づいて、前記検出に応答して、前記第１のＶｏＩＰプロバイダを通して取り次がれるＶｏＩＰ通話を管理するように構成されているＶｏＩＰクライアントアプリケーションが自動的に起動される請求項８記載の方法。
［１１］前記アドバタイズすることは、ユーザ選択可能なアイコンとともに、前記第１の組の優先の性能および／または契約条件を提示し、前記ユーザ選択可能なアイコンは、前記ユーザによって選択される場合、前記第１のＶｏＩＰプロバイダを通して取り次がれるＶｏＩＰ通話を管理するように構成されているＶｏＩＰクライアントアプリケーションを起動する請求項２記載の方法。
［１２］前記第１の組の優先の性能および／または契約条件は、前記第１のＶｏＩＰプロバイダによる減少されたＶｏＩＰ請求レート、セルラキャリアネットワークによる減少されたデータレート課金および／またはサービス品質（ＱｏＳ）を含む請求項１記載の方法。
［１３］前記第１の組のＶｏＩＰアクセスネットワークは、（ｉ）前記ＵＥが加入するセルラキャリアネットワーク、（ｉｉ）前記ＵＥのＯＥＭ、または、（ｉｉｉ）前記第１のＶｏＩＰプロバイダ、により制御される、および／または、との契約上の合意のもとで制御される、ＶｏＩＰアクセスネットワークに対応する請求項１記載の方法。
［１４］前記第１の組のＶｏＩＰアクセスネットワークは、ＷｉＦｉネットワークおよび／または広域ネットワーク（ＷＡＮ）ネットワークを含む請求項１記載の方法。
［１５］前記第１の組のＶｏＩＰアクセスネットワークは、セルラキャリアの無線アクセスネットワークの非ローミング部分に対応し、
前記セルラキャリアの無線アクセスネットワークのローミング部分に対応する第２の組のＶｏＩＰアクセスネットワークは、前記第１の組の優先の性能および／または契約条件に関係付けられていない請求項１記載の方法。
［１６］ボイスオーバーインターネットプロトコル（ＶｏＩＰ）入札エンティティを動作させる方法において、
所定のＶｏＩＰプロバイダおよび／または１組のＶｏＩＰアクセスネットワークと交渉して、前記所定のＶｏＩＰプロバイダを前記１組のＶｏＩＰアクセスネットワークに対する優先またはデフォルトＶｏＩＰプロバイダとして確立することを含み、
前記１組のＶｏＩＰアクセスネットワークは、前記１組のＶｏＩＰアクセスネットワークを通して１組のユーザ機器（ＵＥ）にＶｏＩＰサービスを提供するように構成されている１つ以上の他のＶｏＩＰプロバイダと比較して、前記所定のＶｏＩＰプロバイダを介して前記１組のＵＥにＶｏＩＰサービスを提供するための１組の優先の性能および／または契約条件に関係付けられている方法。
［１７］前記１組のＵＥに対して、前記１組の優先の性能および／または契約条件を配信することをさらに含む請求項１６記載の方法。
［１８］前記配信することは、前記１組のＵＥの製造中に生じる請求項１７記載の方法。
［１９］前記配信することは、前記１組のＵＥが配備された後に生じる請求項１７記載の方法。
［２０］前記ＶｏＩＰ入札エンティティは、前記所定のＶｏＩＰプロバイダ、前記１組のＵＥが加入するセルラキャリアネットワーク、前記１組のＵＥが加入する所定のＶｏＩＰアクセスネットワークおよび／または前記１組のＵＥのオリジナル機器製造者（ＯＥＭ）に対応する請求項１６記載の方法。
［２１］前記１組の優先の性能および／または契約条件は、前記所定のＶｏＩＰプロバイダによる減少されたＶｏＩＰ請求レート、セルラキャリアネットワークによる減少されたデータレート課金および／またはサービス品質（ＱｏＳ）を含む請求項１６記載の方法。
［２２］前記１組のＶｏＩＰアクセスネットワークは、ＷｉＦｉネットワークおよび／または広域ネットワーク（ＷＡＮ）ネットワークを含む請求項１６記載の方法。
［２３］前記１組のＶｏＩＰアクセスネットワークは、（ｉ）前記１組のＵＥによって加入されるセルラキャリアネットワーク、（ｉｉ）前記１組のＵＥのＯＥＭ、または、（ｉｉｉ）前記所定のＶｏＩＰプロバイダ、により制御される、および／または、との契約上の合意のもとで制御される、ＶｏＩＰアクセスネットワークに対応する請求項１６記載の方法。
［２４］前記１組のＶｏＩＰアクセスネットワークは、セルラキャリアの無線アクセスネットワークの非ローミング部分に対応し、
前記セルラキャリアの無線アクセスネットワークのローミング部分に対応する異なる組のＶｏＩＰアクセスネットワークは、前記１組の優先の性能および／または契約条件に関係付けられていない請求項１６記載の方法。
［２５］複数のボイスオーバーインターネットプロトコル（ＶｏＩＰ）サービスにアクセスするように構成されているユーザ機器（ＵＥ）を動作させる方法において、
複数の優先ＶｏＩＰ機会を記憶させ、前記複数の優先ＶｏＩＰ機会のそれぞれは、所定のデータアクセスプロバイダと、関係付けられたＶｏＩＰサービスと、前記所定のデータアクセスプロバイダを介して前記関係付けられたＶｏＩＰサービスを利用するために利用可能な条件とを示すことと、
前記ＵＥが第１のデータアクセスプロバイダに接続されていると決定することと、
前記決定に応答して、前記第１のデータアクセスプロバイダを示す少なくとも１つの優先ＶｏＩＰ機会を識別することと、
前記第１のデータアクセスプロバイダに接続されている間に、前記識別された少なくとも１つの優先ＶｏＩＰ機会に関係付けられたＶｏＩＰサービスを利用することをユーザが選択する場合、少なくとも、利用可能な前記識別された少なくとも１つの優先ＶｏＩＰ機会によって示される前記条件を、前記ＵＥのユーザに対して提示することとを含む方法。
［２６］前記提示することは、前記第１のデータアクセスプロバイダを介して前記ＵＥに利用可能である少なくとも１つの他のＶｏＩＰサービスに関係付けられた少なくとも１つの追加の１組の条件を、前記ＵＥのユーザに対して提示することさらに含む請求項２５記載の方法。
［２７］前記少なくとも１つの他のＶｏＩＰサービスは、前記複数のＶｏＩＰ機会のうちの少なくとも１つの中の前記第１のデータアクセスプロバイダに関係付けられている請求項２６記載の方法。
［２８］前記少なくとも１つの他のＶｏＩＰサービスは、前記複数のＶｏＩＰ機会のうちの少なくとも１つの中の前記第１のデータアクセスプロバイダに関係付けられていない請求項２６記載の方法。
［２９］前記ＵＥが第２のデータアクセスプロバイダに接続されていると決定することと、
前記ＵＥが第２のデータアクセスプロバイダに接続されているとの決定に応答して、前記第２のデータアクセスプロバイダを示す１つ以上の優先ＶｏＩＰ機会を識別することと、
前記第２のデータアクセスプロバイダに接続されている間に、前記識別された１つ以上の優先ＶｏＩＰ機会に関係付けられたＶｏＩＰサービスを利用することを前記ユーザが選択する場合、少なくとも、利用可能な前記識別された少なくとも１つの優先ＶｏＩＰ機会によって示される前記条件を、前記ＵＥのユーザに対して提示することとをさらに含む請求項２５記載の方法。
［３０］複数のボイスオーバーインターネットプロトコル（ＶｏＩＰ）プロバイダによって提供される複数ＶｏＩＰサービスに加入するユーザ機器（ＵＥ）において、
前記ＵＥが第１の組のＶｏＩＰアクセスネットワークを通して動作している間、前記複数のＶｏＩＰプロバイダのうちの第１のＶｏＩＰプロバイダを、前記ＵＥに対する優先またはデフォルトＶｏＩＰプロバイダとして関係付ける手段と、
前記第１の組のＶｏＩＰアクセスネットワークに接続する手段とを具備し、
前記第１のＶｏＩＰプロバイダは、ＶｏＩＰ入札エンティティ、前記第１のＶｏＩＰプロバイダおよび／または前記第１の組のＶｏＩＰアクセスネットワーク間の交渉を介して、前記ＶｏＩＰ入札エンティティによって、前記優先またはデフォルトＶｏＩＰプロバイダとして確立され、
前記第１の組のＶｏＩＰアクセスネットワークは、前記第１の組のＶｏＩＰアクセスネットワークを通して前記ＵＥにＶｏＩＰサービスを提供するように構成されている１つ以上の他のＶｏＩＰプロバイダと比較して、前記第１のＶｏＩＰプロバイダを介して前記ＵＥにＶｏＩＰサービスを提供するための第１の組の優先の性能および／または契約条件に関係付けられているＵＥ。
［３１］ボイスオーバーインターネットプロトコル（ＶｏＩＰ）入札エンティティにおいて、
前記ＶｏＩＰ入札エンティティ、所定のＶｏＩＰプロバイダおよび／または１組のＶｏＩＰアクセスネットワーク間の通信を確立する手段と、
前記所定のＶｏＩＰプロバイダおよび／または前記１組のＶｏＩＰアクセスネットワークと交渉して、前記所定のＶｏＩＰプロバイダを前記１組のＶｏＩＰアクセスネットワークに対する優先またはデフォルトＶｏＩＰプロバイダとして確立する手段とを具備し、
前記１組のＶｏＩＰアクセスネットワークは、前記１組のＶｏＩＰアクセスネットワークを通して１組のユーザ機器（ＵＥ）にＶｏＩＰサービスを提供するように構成されている１つ以上の他のＶｏＩＰプロバイダと比較して、前記所定のＶｏＩＰプロバイダを介して前記１組のＵＥにＶｏＩＰサービスを提供するための１組の優先の性能および／または契約条件に関係付けられているＶｏＩＰ入札エンティティ。
［３２］複数のボイスオーバーインターネットプロトコル（ＶｏＩＰ）サービスにアクセスするように構成されているユーザ機器（ＵＥ）において、
複数の優先ＶｏＩＰ機会を記憶させ、前記複数の優先ＶｏＩＰ機会のそれぞれは、所定のデータアクセスプロバイダと、関係付けられたＶｏＩＰサービスと、前記所定のデータアクセスプロバイダを介して前記関係付けられたＶｏＩＰサービスを利用するために利用可能な条件とを示す手段と、
前記ＵＥが第１のデータアクセスプロバイダに接続されていると決定する手段と、
前記決定に応答して、前記第１のデータアクセスプロバイダを示す少なくとも１つの優先ＶｏＩＰ機会を識別する手段と、
前記第１のデータアクセスプロバイダに接続されている間に、前記識別された少なくとも１つの優先ＶｏＩＰ機会に関係付けられたＶｏＩＰサービスを利用することをユーザが選択する場合、少なくとも、利用可能な前記識別された少なくとも１つの優先ＶｏＩＰ機会によって示される前記条件を、前記ＵＥのユーザに対して提示する手段とを具備するＵＥ。
［３３］複数のボイスオーバーインターネットプロトコル（ＶｏＩＰ）プロバイダによって提供される複数ＶｏＩＰサービスに加入するユーザ機器（ＵＥ）において、
前記ＵＥが第１の組のＶｏＩＰアクセスネットワークを通して動作している間、前記複数のＶｏＩＰプロバイダのうちの第１のＶｏＩＰプロバイダを、前記ＵＥに対する優先またはデフォルトＶｏＩＰプロバイダとして関係付けるように構成されている論理を具備し、
前記第１のＶｏＩＰプロバイダは、ＶｏＩＰ入札エンティティ、前記第１のＶｏＩＰプロバイダおよび／または前記第１の組のＶｏＩＰアクセスネットワーク間の交渉を介して、前記ＶｏＩＰ入札エンティティによって、前記優先またはデフォルトＶｏＩＰプロバイダとして確立され、
前記第１の組のＶｏＩＰアクセスネットワークは、前記第１の組のＶｏＩＰアクセスネットワークを通して前記ＵＥにＶｏＩＰサービスを提供するように構成されている１つ以上の他のＶｏＩＰプロバイダと比較して、前記第１のＶｏＩＰプロバイダを介して前記ＵＥにＶｏＩＰサービスを提供するための第１の組の優先の性能および／または契約条件に関係付けられているＵＥ。
［３４］ボイスオーバーインターネットプロトコル（ＶｏＩＰ）入札エンティティにおいて、
所定のＶｏＩＰプロバイダおよび／または１組のＶｏＩＰアクセスネットワークと交渉して、前記所定のＶｏＩＰプロバイダを前記１組のＶｏＩＰアクセスネットワークに対する優先またはデフォルトＶｏＩＰプロバイダとして確立するように構成されている論理を具備し、
前記１組のＶｏＩＰアクセスネットワークは、前記１組のＶｏＩＰアクセスネットワークを通して１組のユーザ機器（ＵＥ）にＶｏＩＰサービスを提供するように構成されている１つ以上の他のＶｏＩＰプロバイダと比較して、前記所定のＶｏＩＰプロバイダを介して前記１組のＵＥにＶｏＩＰサービスを提供するための１組の優先の性能および／または契約条件に関係付けられているＶｏＩＰ入札エンティティ。
［３５］複数のボイスオーバーインターネットプロトコル（ＶｏＩＰ）サービスにアクセスするように構成されているユーザ機器（ＵＥ）において、
複数の優先ＶｏＩＰ機会を記憶させるように構成され、前記複数の優先ＶｏＩＰ機会のそれぞれは、所定のデータアクセスプロバイダと、関係付けられたＶｏＩＰサービスと、前記所定のデータアクセスプロバイダを介して前記関係付けられたＶｏＩＰサービスを利用するために利用可能な条件とを示す論理と、
前記ＵＥが第１のデータアクセスプロバイダに接続されていると決定するように構成されている論理と、
前記決定に応答して、前記第１のデータアクセスプロバイダを示す少なくとも１つの優先ＶｏＩＰ機会を識別するように構成されている論理と、
前記第１のデータアクセスプロバイダに接続されている間に、前記識別された少なくとも１つの優先ＶｏＩＰ機会に関係付けられたＶｏＩＰサービスを利用することをユーザが選択する場合、少なくとも、利用可能な前記識別された少なくとも１つの優先ＶｏＩＰ機会によって示される前記条件を、前記ＵＥのユーザに対して提示するように構成されている論理とを具備するＵＥ。
［３６］その上に記憶されている命令を含む非一時的コンピュータ読取可能媒体において、
複数のボイスオーバーインターネットプロトコル（ＶｏＩＰ）プロバイダによって提供される複数ＶｏＩＰサービスに加入するユーザ機器（ＵＥ）によって実行されるとき、命令は前記ＵＥに動作を実行させ、
前記命令は、
前記ＵＥに、前記ＵＥが第１の組のＶｏＩＰアクセスネットワークを通して動作している間、前記複数のＶｏＩＰプロバイダのうちの第１のＶｏＩＰプロバイダを、前記ＵＥに対する優先またはデフォルトＶｏＩＰプロバイダとして関係付けさせる少なくとも１つの命令を含み、
前記第１のＶｏＩＰプロバイダは、ＶｏＩＰ入札エンティティ、前記第１のＶｏＩＰプロバイダおよび／または前記第１の組のＶｏＩＰアクセスネットワーク間の交渉を介して、前記ＶｏＩＰ入札エンティティによって、前記優先またはデフォルトＶｏＩＰプロバイダとして確立され、
前記第１の組のＶｏＩＰアクセスネットワークは、前記第１の組のＶｏＩＰアクセスネットワークを通して前記ＵＥにＶｏＩＰサービスを提供するように構成されている１つ以上の他のＶｏＩＰプロバイダと比較して、前記第１のＶｏＩＰプロバイダを介して前記ＵＥにＶｏＩＰサービスを提供するための第１の組の優先の性能および／または契約条件に関係付けられている非一時的コンピュータ読取可能媒体。
［３７］その上に記憶されている命令を含む非一時的コンピュータ読取可能媒体において、
ボイスオーバーインターネットプロトコル（ＶｏＩＰ）入札エンティティによって実行されるとき、命令は前記ＶｏＩＰ入札エンティティに動作を実行させ、
前記命令は、
前記ＶｏＩＰ入札エンティティに、所定のＶｏＩＰプロバイダおよび／または１組のＶｏＩＰアクセスネットワークと交渉して、前記所定のＶｏＩＰプロバイダを前記１組のＶｏＩＰアクセスネットワークに対する優先またはデフォルトＶｏＩＰプロバイダとして確立させる少なくとも１つの命令を含み、
前記１組のＶｏＩＰアクセスネットワークは、前記１組のＶｏＩＰアクセスネットワークを通して１組のユーザ機器（ＵＥ）にＶｏＩＰサービスを提供するように構成されている１つ以上の他のＶｏＩＰプロバイダと比較して、前記所定のＶｏＩＰプロバイダを介して前記１組のＵＥにＶｏＩＰサービスを提供するための１組の優先の性能および／または契約条件に関係付けられている非一時的コンピュータ読取可能媒体。
［３８］その上に記憶されている命令を含む非一時的コンピュータ読取可能媒体において、
複数のボイスオーバーインターネットプロトコル（ＶｏＩＰ）サービスにアクセスするように構成されているユーザ機器（ＵＥ）によって実行されるとき、命令は前記ＵＥに動作を実行させ、
前記命令は、
前記ＵＥに、複数の優先ＶｏＩＰ機会を記憶させるための少なくとも１つの命令、前記複数の優先ＶｏＩＰ機会のそれぞれは、所定のデータアクセスプロバイダと、関係付けられたＶｏＩＰサービスと、前記所定のデータアクセスプロバイダを介して前記関係付けられたＶｏＩＰサービスを利用するために利用可能な条件とを示すと、
前記ＵＥに、前記ＵＥが第１のデータアクセスプロバイダに接続されていると決定させるための少なくとも１つの命令と、
前記決定に応答して、前記ＵＥに、前記第１のデータアクセスプロバイダを示す少なくとも１つの優先ＶｏＩＰ機会を識別させるための少なくとも１つの命令と、
前記第１のデータアクセスプロバイダに接続されている間に、前記識別された少なくとも１つの優先ＶｏＩＰ機会に関係付けられたＶｏＩＰサービスを利用することをユーザが選択する場合、前記ＵＥに、少なくとも、利用可能な前記識別された少なくとも１つの優先ＶｏＩＰ機会によって示される前記条件を、前記ＵＥのユーザに対して提示させるための少なくとも１つの命令とを含む非一時的コンピュータ読取可能媒体。
【国際調査報告】
2016517208.tif 000013
2016517208.tif 000014
2016517208.tif 000015